(57)【要約】【課題】比較的低エネルギー消費の積雪または氷結の対策を行うことができる均温システムを提供する。【解決手段】均温システムは、被覆状の均温室構造を有し、外部から流体を引き入れ、間接的に建物またはその他密閉または半密閉構造の内部空間に対して、開放式流体圧送システムを作る。水道水システムの地下水道管１０３の中の一段の周りに被覆状の均温室構造２２０が設置され、被覆状の均温室構造２２０の両端面は密閉となり、その近隣の密閉端面の一端には少なくとも一個の流体入口２１８が設けられ、建物の外部空間へ通じる流体配管２２１と連接する。別端には少なくとも一個の流体出口２１９が設けられ、建物１１０またはその他密閉または半密閉構造の内部空間へ通じる流体配管２３１と連接し、気体や液相の流体を流入または流出させ、ニーズによって計量装置２５１と流量制御バルブ２５２を設置することができる。【選択図】図１９
2010043849.tif 000002
【特許請求の範囲】
【請求項１】
水道水を利用して均一な温度を保つ均温システムであって、
地層に埋設されている水道管システムの地下水道管及び管内の水を温度エネルギー伝送流体とし、直接的に地面に埋め込まれている密閉配管へ通じ、または熱伝導方式を通して、温度エネルギーを間接的に別の密閉配管または開放配管内の温度エネルギー伝送流体へ伝送し、ポンプを通して、一流動方向または周期的に流向を変更することにより、前記熱エネルギー伝送流体をポンピングし、伝送したい熱エネルギーを直接的に目的物または目的空間に入れ、または均温装置を経て、間接的に圧送する前記熱エネルギー伝送流体の熱エネルギーを圧送したい熱エネルギーの目的物または目的空間まで伝送し、高エネルギーを消費するエアコン装置を取り換え、または補助し、
（１）相対的に比較的低温の水道水及び地層の熱エネルギーにより、地表にある伝送したい熱エネルギーの目的物の温度を下げる均温機能、
（２）相対的に比較的高温の水道水及び地層の熱エネルギーにより、地表にある伝送したい熱エネルギーの目的物の温度を上げる均温機能、
上記（１）および（２）のうちの少なくとも１つの均温機能を有し、
均一な温度を保つ前記目的物または前記目的空間の応用装置を含み、温度を調節する熱エネルギーを伝送し、前記均一な温度を保つ前記目的物、又は、その応用装置は、
（１）工作機械、測定器具、観測器具、産業設備、機械設備、動力機械、電機の特定環境温度を要求する設備装置、
（２）散熱冷却装置、貯電装置、灯具、発光ダイオード、太陽エネルギー発電装置、コンピュータ、コンピュータの周辺設備、サーバ、半導体応用設備の熱的損失装置または散熱を要求するコンポーネント、
（３）固相または液相や気体化学品を貯蔵する空間または倉庫、
上記（１）〜（３）のうちの少なくとも１つを含み、
水道水システムの自然の熱エネルギーを利用して、設備や装置を冷却し、または水道水システムの自然の熱エネルギーを利用して、設備や装置の均温、保温を図り、
前記均一な温度を保つ前記目的空間は、
（１）半密閉式または密閉式建物の内部空間、
（２）半密閉式または密閉式構造の内部空間、
（３）浅層地表、
（４）各種開放空間、
（５）開放地表空間、
上記（１）〜（５）のうちの少なくとも１つを含み、
均温の目的建物は、各種家屋、倉庫、柱状体、またはその他幾何形状の建物により、均温化を調節する熱エネルギーを伝送する目的を含み、その他のニーズによって設計する半密閉式または密閉式構造により、専用建築の構成に対して、温度を調節する熱エネルギーを伝送し、道路の浅層地表での均一な熱の伝送に応用し、露天公共場所の外部露出式での熱の伝送に応用する、均温システム。
【請求項２】
水道水管で分流式密閉配管の水管を直接構成し、及び流体ポンプと均熱装置により、建物内部の均熱機能システムを構成することができ、
前記均熱機能システムは、地下水道管（１０３）、密閉水管（１２１）、均温装置（１２２）、流体ポンピング装置（１２３）および制御装置（２５０）を含み、
前記地下水道管（１０３）は、地層（１０２）内に埋設され、水道水システムの水流を伝送し、管形構造、または比較的熱エネルギーを有利に伝送する幾何形状構造、及び各種良好な熱伝導材料、金属またはその他熱伝導材料によって構成可能であり、流れる水道水を利用して熱エネルギーを伝送し、及び前記地下水道管（１０３）本体を利用して、地層の熱エネルギーを伝導し、ニーズによって前記均温装置（１２２）を選択的に連接して設置することにより、地層の熱エネルギーの伝導効果を増進し、
前記密閉水管（１２１）は、管形構造または比較的熱エネルギーを有利に伝送する幾何形状及び材料によって構成可能であり、一流路または多流路または特定の湾曲状を呈し、密閉式水流配管を呈し、前記地下水道管（１０３）より地表（１０１）に比較的近いところに設置され、または前記地表（１０１）に露出する位置に、または建物（１１０）本体内部に埋設され、または建物内部や外部の頂部や壁に近いところ、または床内部や地面に近いところ、または壁に近いところに選定的に設置され、前記密閉水管（１２１）の入口端が前記地下水道管（１０３）と連接し、前記地下水道管（１０３）の水流を導入してから、再び前記密閉水管（１２１）の出口端と接続する前記地下水道管（１０３）の別の段を経て、前記地下水道管（１０３）まで流れ戻ることにより、水道水流の分流流路を構成し、分流の水道水流を通して、熱エネルギーを伝送し、ニーズによって前記均温装置（１２２）を選択的に連続して設置可能であり、水道水流をポンピングする流体ポンピング装置（１２３）を設置し、かつ水流に対して、周期的に流向を変更するようにポンピングし、及びニーズによって計量装置（２５１）と流量制御バルブ（２５２）とを設置可能であり、
前記均温装置（１２２）は、良好な熱伝導材料によって構成され、その構造形状は熱伝導に有利な幾何形状であり、水の流入口と前記均温装置（１２２）内部を通過する水流通路と水の流出口とを有し、前記地下水道管（１０３）または前記建物（１１０）内部の前記密閉水管（１２１）に連続的に接続し、通過する水流の温度エネルギーと前記均温装置（１２２）の周りの温度エネルギーを均一な温度に保つ温度エネルギーにしてから伝送し、ニーズによって選択的に設置可能であり、前記地下水道管（１０３）に連続的に接続し、または前記建物（１１０）内部の前記密閉水管（１２１）の二者やその中の一つに連続的に接続し、または設置しないことを選択可能であり、
前記流体ポンピング装置（１２３）は、前記均温装置（１２２）を通過する流体流路に直列に設置され、前記流体ポンピング装置（１２３）で生じる圧送力によって、水流のポンピングを通して、温度エネルギーを伝送し、ポンプは電力モータ、エンジン動力、その他風エネルギー、熱エネルギー、温度差エネルギー、太陽エネルギーにより形成する機械エネルギーまたは転換する電気エネルギーによって駆動し、
前記制御装置（２５０）は、メカトロニクスコンポーネントまたは固相電子回路コンポーネント、またはマイクロプロセッサー及び関連ソフトウェア及び制御インターフェースによって構成され、前記流体ポンピング装置（１２３）の運転を制御することを特徴とする請求項１に記載の均温システム。
【請求項３】
浅層地表の均温機能システムへの応用が可能であり、
地下水道管（１０３）、密閉水管（１２１）、均温装置（１２２）、流体ポンピング装置（１２３）および制御装置（２５０）を含み、
前記地下水道管（１０３）は、地層（１０２）内に埋設され、水道水システムの水流を伝送し、管形構造、または比較的熱エネルギーを有利に伝送する幾何形状構造、及び各種良好な熱伝導材料、金属またはその他熱伝導材料によって構成可能であり、流れる水道水を通して熱エネルギーを伝送し、及び前記地下水道管（１０３）本体を通して、地層の熱エネルギーを伝導し、ニーズによって前記均温装置（１２２）を選択的に連続して設置することにより、地層の熱エネルギーの伝導効果を増進し、
前記密閉水管（１２１）は、前記密閉水管（１２１）本体が管形構造または比較的熱エネルギーを有利に伝送する幾何形状及び材料によって構成され、一流路または多流路または特定の湾曲状を呈し、前記地下水道管（１０３）より更に地表（１０１）に近い位置に設置することにより、密閉式水流配管を呈し、前記密閉水管（１２１）の入口端が前記地下水道管（１０３）と接続し、前記地下水道管（１０３）の水流を導入してから、再び前記密閉水管（１２１）の出口端と接続する前記地下水道管（１０３）の別の段を経て、前記地下水道管（１０３）まで流れ戻ることにより水流の流路を構成し、水流を通して、均一な温度を保つ熱エネルギーを伝送し、ニーズによって前記均温装置（１２２）を選択的に連続して設置可能であり、及び水流をポンピングする前記流体ポンピング装置（１２３）を選択的に設置可能であり、及びニーズによって計量装置（２５１）と流量制御バルブ（２５２）とを設置可能であり、
前記均温装置（１２２）は、良好な熱伝導材料によって構成され、その構造形状は熱伝導に有利な幾何形状であり、水の流入口と前記均温装置（１２２）内部を通過する水流通路と水の流出口とを有し、前記地下水道管（１０３）または前記密閉水管（１２１）に連続的に接続し、通過する水流の熱エネルギーと前記均温装置（１２２）の周りの熱エネルギーを均一な温度を保つ熱エネルギーにしてから伝送し、ニーズによって選択的に設置可能であり、前記地下水道管（１０３）に連続的に接続し、または地表に近いところの前記密閉水管（１２１）の二者やその中の一つに連続的に接続し、または設置しないことを選択可能であり、
前記流体ポンピング装置（１２３）は、前記均温装置（１２２）を通過する流体流路に直列に設置され、前記流体ポンピング装置（１２３）で生じる圧送力によって、水流のポンピングを通して、熱エネルギーを伝送し、ポンプは電力モータ、エンジン動力、その他風エネルギー、熱エネルギー、温度差エネルギー、太陽エネルギーにより形成する機械エネルギーまたは転換する電気エネルギーによって駆動し、
前記制御装置（２５０）は、メカトロニクスコンポーネントまたは固相電子回路コンポーネント、またはマイクロプロセッサー及び関連ソフトウェア及び制御インターフェースによって構成され、前記流体ポンピング装置（１２３）の運転を制御することを特徴とする請求項１に記載の均温システム。
【請求項４】
外部に露出する目的の均温機能システムへの応用が可能であり、
地下水道管（１０３）、密閉水管（１２１）、均温装置（１２２）、流体ポンピング装置（１２３）および制御装置（２５０）を含み、
前記地下水道管（１０３）は、地層（１０２）内に埋設され、水道水システムの水流を伝送し、管形構造、または比較的熱エネルギーを有利に伝送する幾何形状構造、及び各種良好な熱伝導材料、金属またはその他熱伝導材料によって構成可能であり、流れる水道水を通して熱エネルギーを伝送し、及び前記地下水道管（１０３）本体を通して、地層の熱エネルギーを伝導し、ニーズによって前記均温装置（１２２）を選択的に連続して設置することにより、地層の熱エネルギーの伝導効果を増進し、
前記密閉水管（１２１）は、前記密閉水管（１２１）本体が管形構造または比較的熱エネルギーを有利に伝送する幾何形状及び材料によって構成され、一流路または多流路または特定の湾曲状を呈し、地表（１０１）に露出する位置に設置され、密閉式水流配管を呈し、前記密閉水管（１２１）の入口端が前記地下水道管（１０３）と接続し、前記地下水道管（１０３）の水流を導入してから、再び前記密閉水管（１２１）の出口端と接続する前記地下水道管（１０３）の別の段を経て、前記地下水道管（１０３）まで流れ戻ることにより水流の流路を構成し、水流を通して、均一な温度を保つ熱エネルギーを伝送し、ニーズによって前記均温装置（１２２）を選択的に連続して設置可能であり、及び水流をポンピングする前記流体ポンピング装置（１２３）を選択的に設置可能であり、及びニーズによって計量装置（２５１）と流量制御バルブ（２５２）とを設置可能であり、
前記均温装置（１２２）は、良好な熱伝導材料によって構成され、その構造形状は熱伝導に有利な幾何形状であり、水の流入口と前記均温装置（１２２）内部を通過する水流通路と水の流出口とを有し、前記地下水道管（１０３）または前記密閉水管（１２１）に連続的に接続し、通過する水流の熱エネルギーと前記均温装置（１２２）の周りの熱エネルギーを均一な温度を保つ熱エネルギーにしてから伝送し、ニーズによって選択的に設置可能であり、前記地下水道管（１０３）に連続的に接続し、または地表に露出する前記密閉水管（１２１）の二者やその中の一つに連続的に接続し、または設置しないことを選択可能であり、
前記流体ポンピング装置（１２３）は、前記均温装置（１２２）を通過する流体流路に直列に設置され、前記流体ポンピング装置（１２３）で生じる圧送力によって、水流のポンピングを通して、熱エネルギーを伝送し、ポンプは電力モータ、エンジン動力、その他風エネルギー、熱エネルギー、温度差エネルギー、太陽エネルギーにより形成する機械エネルギーまたは転換する電気エネルギーによって駆動し、
前記制御装置（２５０）は、メカトロニクスコンポーネントまたは固相電子回路コンポーネント、またはマイクロプロセッサー及び関連ソフトウェア及び制御インターフェースによって構成され、前記流体ポンピング装置（１２３）の運転を制御することを特徴とする請求項１に記載の均温システム。
【請求項５】
建物頂部の構造体内部の均温機能システムへの応用が可能であり、
地下水道管（１０３）、密閉水管（１２１）、均温装置（１２２）、流体ポンピング装置（１２３）および制御装置（２５０）を含み、
前記地下水道管（１０３）は、地層（１０２）内に埋設され、水道水システムの水流を伝送し、管形構造、または比較的熱エネルギーを有利に伝送する幾何形状構造、及び各種良好な熱伝導材料、金属またはその他熱伝導材料によって構成可能であり、流れる水道水を通して熱エネルギーを伝送し、及び前記地下水道管（１０３）本体を通して、地層の熱エネルギーを伝導し、ニーズによって前記均温装置（１２２）を選択的に連続して設置することにより、地層の熱エネルギーの伝導効果を増進し、
前記密閉水管（１２１）は、前記密閉水管（１２１）本体が管形構造または比較的熱エネルギーを有利に伝送する幾何形状及び材料によって構成され、一流路または多流路または特定の湾曲状を呈し、建物（１１０）頂部の構造体内部に設置され、密閉式水流配管を呈し、前記密閉水管（１２１）の入口端が前記地下水道管（１０３）と接続し、前記地下水道管（１０３）の水流を導入してから、再び前記密閉水管（１２１）の出口端と接続する前記地下水道管（１０３）の別の段を経て、前記地下水道管（１０３）まで流れ戻ることにより水流の流路を構成し、水流を通して、均一な温度を保つ熱エネルギーを伝送し、ニーズによって前記均温装置（１２２）を選択的に連続して設置可能であり、及び水流をポンピングする前記流体ポンピング装置（１２３）を選択的に設置可能であり、及びニーズによって計量装置（２５１）と流量制御バルブ（２５２）とを設置可能であり、
前記均温装置（１２２）は、良好な熱伝導材料によって構成され、その構造形状は熱伝導に有利な幾何形状であり、水の流入口と前記均温装置（１２２）内部を通過する水流通路と水の流出口とを有し、前記地下水道管（１０３）または前記密閉水管（１２１）に連続的に接続し、通過する水流の熱エネルギーと前記均温装置（１２２）の周りの熱エネルギーを均一な温度を保つ熱エネルギーにしてから伝送し、ニーズによって選択的に設置可能であり、前記地下水道管（１０３）に連続的に接続し、または前記建物（１１０）頂部の構造体内部の前記密閉水管（１２１）の二者やその中の一つに連続的に接続し、または設置しないことを選択可能であり、
前記流体ポンピング装置（１２３）は、前記均温装置（１２２）を通過する流体流路に直列に設置され、前記流体ポンピング装置（１２３）で生じる圧送力によって、水流のポンピングを通して、熱エネルギーを伝送し、ポンプは電力モータ、エンジン動力、その他風エネルギー、熱エネルギー、温度差エネルギー、太陽エネルギーにより形成する機械エネルギーまたは転換する電気エネルギーによって駆動し、
前記制御装置（２５０）は、メカトロニクスコンポーネントまたは固相電子回路コンポーネント、またはマイクロプロセッサー及び関連ソフトウェア及び制御インターフェースによって構成され、前記流体ポンピング装置（１２３）の運転を制御することを特徴とする請求項１に記載の均温システム。
【請求項６】
建物頂部の外部に露出する均温機能システムへの応用が可能であり、
地下水道管（１０３）、密閉水管（１２１）、均温装置（１２２）、流体ポンピング装置（１２３）および制御装置（２５０）を含み、
前記地下水道管（１０３）は、地層（１０２）内に埋設され、水道水システムの水流を伝送し、管形構造、または比較的熱エネルギーを有利に伝送する幾何形状構造、及び各種良好な熱伝導材料、金属またはその他熱伝導材料によって構成可能であり、流れる水道水を通して熱エネルギーを伝送し、及び前記地下水道管（１０３）本体を通して、地層の熱エネルギーを伝導し、ニーズによって前記均温装置（１２２）を選択的に連続して設置可能であり、地層の熱エネルギーの伝導効果を増進し、
前記密閉水管（１２１）は、前記密閉水管（１２１）本体が管形構造または比較的熱エネルギーを有利に伝送する幾何形状及び材料によって構成され、一流路または多流路または特定の湾曲状を呈し、建物（１１０）頂部の外部に露出する密閉式水流配管に設置され、前記密閉水管（１２１）の入口端が前記地下水道管（１０３）と接続し、前記地下水道管（１０３）の水流を導入してから、再び前記密閉水管（１２１）の出口端と接続する前記地下水道管（１０３）の別の段を経て、前記地下水道管（１０３）まで流れ戻ることにより水流の流路を構成し、水流を通して、均一な温度を保つ熱エネルギーを伝送し、ニーズによって前記均温装置（１２２）を選択的に連続して設置可能であり、及び水流をポンピングする前記流体ポンピング装置（１２３）を選択的に設置可能であり、及びニーズによって計量装置（２５１）と流量制御バルブ（２５２）とを設置可能であり、
前記均温装置（１２２）は、良好な熱伝導材料によって構成され、その構造形状は熱伝導に有利な幾何形状であり、水の流入口と前記均温装置（１２２）内部を通過する水流通路と水の流出口とを有し、前記地下水道管（１０３）または前記建物（１１０）頂部の外部に露出する前記密閉水管（１２１）に連続的に接続し、通過する水流の熱エネルギーと前記均温装置（１２２）の周りの熱エネルギーを均一な温度を保つ熱エネルギーにしてから伝送し、ニーズによって選択的に設置可能であり、前記地下水道管（１０３）に連続的に接続し、または前記建物（１１０）頂部の外部に露出する前記密閉水管（１２１）の二者やその中の一つに連続的に接続し、または設置しないことを選択可能であり、
前記流体ポンピング装置（１２３）は、前記均温装置（１２２）を通過する流体流路に直列に設置され、前記流体ポンピング装置（１２３）で生じる圧送力によって、水流のポンピングを通して、熱エネルギーを伝送し、ポンプは電力モータ、エンジン動力、その他風エネルギー、熱エネルギー、温度差エネルギー、太陽エネルギーにより形成する機械エネルギーまたは転換する電気エネルギーによって駆動し、
前記制御装置（２５０）は、メカトロニクスコンポーネントまたは固相電子回路コンポーネント、またはマイクロプロセッサー及び関連ソフトウェア及び制御インターフェースによって構成され、前記流体ポンピング装置（１２３）の運転を制御することを特徴とする請求項１に記載の均温システム。
【請求項７】
前記均温装置（１２２）は、
（１）均温装置を地層面に設置し、地下水道管に連続して設置する、
（２）均温装置は地表に近いところに設置し、または地表に露出し、密閉水管に連続して設置する、
（３）地下水道管と密閉水管に均温装置を連続して設置する、
（４）地下水道管と密閉水管に均温装置を設置しない、
（５）均温機能は、地下水道管や密閉水管本体により、均温装置の機能に取り換わることが可能であり、または地下水道管や密閉水管の管体外部に、別に良好な熱伝導性能を有する構造体を加設することにより、その均温機能を高めること、
上記（１）〜（５）のうちの少なくとも１つの実施方式を選択可能であることを特徴とする請求項１に記載の均温システム。
【請求項８】
密閉水管と地下水道管との接続関係は、
（１）密閉水管の入水口を地下水道管の上流側に接続し、出水口を下流側に接続する、
（２）密閉水管の入水口を地下水道管の下流側に接続し、出水口を上流側に接続する、
上記（１）および（２）のうちの少なくとも１つの接続方式を含むことを特徴とする請求項１に記載の均温装置。
【請求項９】
密閉水管を流れる水流は、流体ポンピング装置により直接ポンピングする以外に、
（１）地下水道管の水流の流向を通して、水流を接続している前記密閉水管の上流の入水口から、正水圧の特定角度を呈すように導入し、前記地下水道管の水流方向と９０°より小さい鋭角を呈すことにより、水流が前記密閉水管に入り易くなり、前記密閉水管の出水口から、前記地下水道管の水流の流向と負水圧の特定角度を呈し、９０°より大きい鈍角になって、水流が前記密閉水管の出水口からの流出に役立ち、前記地下水道管と合流することにより、分流効果を形成し、前記密閉水管から流れる分流水流を熱エネルギー伝送流体とし、均一な温度を保つ熱エネルギーを伝送し、かつ流体バルブの制御により、流向を制御する、
（２）ポンプで水流をポンピングし、または温かい空気は上昇し冷たい空気は下降する効果または分流効果のうち少なくとも１つの効果を通して、水流が閉路水管を流れ、水流を熱エネルギー伝送流体とし、間接的に目的物または目的空間に対して、均一な温度を保つ熱エネルギーを伝送する、
上記（１）および（２）のうちの少なくとも１つの水流の流動方式を含むことを特徴とする請求項１に記載の均温システム。
【請求項１０】
熱エネルギーの伝送方式は、更に間接的に熱エネルギー伝送構造によって構成され、水道水システムの地下または地上の水道水配管に被覆状の均温室構造を設置し、水道水配管内部の水流の熱エネルギーを間接的に被覆状均温気室内部を通して、目的物または目的空間の別の気体や液相流体へ流し、均温とする目的物または目的空間、または建物、またはその他密閉または半密閉構造内部空間へ流し、間接的に熱エネルギーの均一な熱の伝送を伝導し、
（１）水道水システムの地下水道管（１０３）の中の一段の周りに被覆状の均温室構造（２２０）を設置し、被覆状の前記均温室構造（２２０）の両端面は密閉を呈し、その近隣の密閉端面の一端に少なくとも一個の流体入口（２１８）を設け、及び開放空間の流体配管（２２１）へ通じ、別端に少なくとも一個の流体出口（２１９）を設け、及び前記開放式空間の流体配管（２３１）へ通じ、気体や液相の流体を流入または流出させ、及びニーズによって計量装置（２５１）と流量制御バルブ（２５２）とを設置し、前記流体は温かい空気は上昇し冷たい空気は下降する効果を通して対流循環を作り、または流体ポンピング装置（１２３）の設置を通して、電力モータによる駆動、その他機械エネルギーによる駆動、または人力による駆動が可能であり、一流動方向のポンピングを採用する場合、被覆状の前記均温室構造（２２０）を通過する前記流体をポンピングし、前記流体配管（２２１）を経て、前記開放式空間へ通じ、前記開放式空間の前記流体は前記流体配管（２３１）を経て、被覆状の前記均温室構造（２２０）まで流れ戻り、周期的に流向を変更するようなポンピングを採用する場合、その中の一つのポンピング流向は、別の流向へポンピングするとき、前記流体が前記流体配管（２３１）を経て前記開放式空間へ通じ、前記開放式空間の前記流体は前記流体配管（２２１）を経て、被覆状の前記均温室構造（２２０）まで流れ戻り、間接的に前記水道水システムの熱エネルギーを前記開放式空間へ伝送し、間接的に熱エネルギーの均一な熱を伝導し、前記流体配管（２２１）及び前記流体配管（２３１）は、別々に前記開放式空間へ通じ、前記流体配管（２２１）及び前記流体配管（２３１）の流体入出口に取り付けるろ過装置（１２４）は、ニーズによって設置し、または設置しないことを選択可能である、
（２）水道水システムの地下水道管（１０３）の中の一段の周りに被覆状の均温室構造（２２０）を設置し、被覆状の前記均温室構造（２２０）の両端面は密閉を呈し、その近隣の密閉端面の一端に少なくとも一個の流体入口（２１８）を設け、及び建物（１１０）またはその他密閉または半密閉構造の内部空間の流体配管（２２１）へ通じ、別端に少なくとも一個の流体出口（２１９）を設け、及び建物（１１０）またはその他密閉または半密閉構造の内部空間の流体配管（２３１）へ通じ、気体や液相の流体を流入または流出させ、及びニーズによって計量装置（２５１）と流量制御バルブ（２５２）とを設置し、前記流体は温かい空気は上昇し冷たい空気は下降する効果を通して対流循環を作り、または流体ポンピング装置（１２３）の設置を通して、電力モータによる駆動、その他機械エネルギーによる駆動、または人力による駆動が可能であり、一流動方向のポンピングを採用する場合、被覆状の前記均温室構造（２２０）を通過する前記流体をポンピングし、前記流体配管（２２１）を経て、前記建物（１１０）または前記その他密閉または半密閉構造の内部空間へ通じ、再び前記流体配管（２３１）を経て、被覆状の前記均温室構造（２２０）まで流れ戻り、周期的に流向を変更するようなポンピングを採用する場合、その中の一つのポンピング流向は、別の流向へポンピングするとき、前記流体が前記流体配管（２３１）を経て前記建物（１１０）または前記その他密閉または半密閉構造の内部空間へ通じ、再び前記流体配管（２２１）を経て、被覆状の前記均温室構造（２２０）まで流れ戻り、間接的に前記水道水システムの熱エネルギーを前記建物（１１０）または前記その他密閉または半密閉構造の内部空間へ伝送し、間接的に熱エネルギーの均一な熱を伝導し、前記流体配管（２２１）及び前記流体配管（２３１）は、別々に前記建物（１１０）または前記その他密閉または半密閉構造の内部空間へ通じ、前記流体配管（２２１）及び前記流体配管（２３１）の流体入出口に取り付けるろ過装置（１２４）は、ニーズによって設置し、または設置しないことを選択可能である、
（３）水道水システムの地下水道管（１０３）の中の一段の周りに被覆状の均温室構造（２２０）を設置し、被覆状の前記均温室構造（２２０）の両端面は密閉を呈し、その近隣の密閉端面の一端に少なくとも一個の流体入口（２１８）を設け、建物の外部空間へ通じる流体配管（２２１）と接続し、別端に少なくとも一個の流体出口（２１９）を設け、建物（１１０）またはその他密閉または半密閉構造の内部空間へ通じる流体配管（２３１）と接続し、気体や液相の流体を流入または流出させ、及びニーズによって計量装置（２５１）と流量制御バルブ（２５２）とを設置し、前記流体は温かい空気は上昇し冷たい空気は下降する効果を通して対流循環を作り、または流体ポンピング装置（１２３）の設置を通して、電力モータによる駆動、その他機械エネルギーによる駆動、または人力による駆動が可能であり、一流動方向のポンピングを採用する場合、室外の流体または前記流体配管（２２１）を通過する前記流体をポンピングし、及び被覆状の前記均温室構造（２２０）を通過してから、再び前記建物（１１０）または前記その他密閉または半密閉構造の内部空間へ通じる前記流体配管（２３１）を経て、間接的に前記水道水システムの熱エネルギーを前記建物（１１０）または前記その他密閉または半密閉構造の内部空間へ伝送し、間接的に熱エネルギーの均一な熱を伝導し、前記流体配管（２２１）が室外空間へ通じ、かつ前記流体配管（２３１）は前記建物（１１０）または前記その他密閉または半密閉構造の内部空間へ通じ、前記流体配管（２２１）及び前記流体配管（２３１）の流体入出口に取り付けるろ過装置（１２４）は、ニーズによって設置し、または設置しないことを選択可能である、
（４）水道水システムの地下水道管（１０３）の中の一段の周りに被覆状の均温室構造（２２０）を設置し、被覆状の前記均温室構造（２２０）の両端面は密閉を呈し、その近隣の密閉端面の一端に少なくとも一個の流体入口（２１８）を設け、及び開放式空間の流体配管（２２１）へ通じ、別端に少なくとも一個の流体出口（２１９）を設け、及び前記開放式空間の流体配管（２３１）へ通じ、気体や液相の流体を流入または流出させ、及びニーズによって計量装置（２５１）と流量制御バルブ（２５２）とを設置し、前記流体は温かい空気は上昇し冷たい空気は下降する効果を通して対流循環を作り、または流体ポンピング装置（１２３）の設置を通して、電力モータによる駆動、その他機械エネルギーによる駆動、または人力による駆動が可能であり、一流動方向のポンピングを採用する場合、被覆状の前記均温室構造（２２０）を通過する前記流体をポンピングし、前記流体配管（２２１）を経て前記開放式空間の前記均温装置（１２２）へ通じ、再び前記流体配管（２３１）を経て、被覆状の前記均温室構造（２２０）まで流れ戻り、周期的に流向を変更するようなポンピングを採用する場合、その中の一つのポンピング流向は、別の流向へポンピングするとき、前記流体が前記流体配管（２３１）を経て前記開放式空間の前記均温装置（１２２）へ通じ、再び前記流体配管（２２１）を経て、被覆状の前記均温室構造（２２０）まで流れ戻り、間接的に前記水道水システムの熱エネルギーを前記均温装置（１２２）と前記開放式空間とに伝送し、間接的に熱エネルギーの均一な熱を伝導し、前記流体配管（２２１）及び前記流体配管（２３１）は、別々に前記開放式空間に設置する前記均温装置（１２２）へ通じる、
（５）水道水システムの地下水道管（１０３）の中の一段の周りに被覆状の均温室構造（２２０）を設置し、被覆状の前記均温室構造（２２０）の両端面は密閉を呈し、その近隣の密閉端面の一端に少なくとも一個の流体入口（２１８）を設け、及び建物（１１０）またはその他密閉または半密閉構造の内部空間の流体配管（２２１）へ通じ、別端に少なくとも一個の流体出口（２１９）を設け、及び前記建物（１１０）または前記その他密閉または半密閉構造の内部空間の流体配管（２３１）へ通じ、気体や液相の流体を流入または流出させ、及びニーズによって計量装置（２５１）と流量制御バルブ（２５２）とを設置し、前記流体は温かい空気は上昇し冷たい空気は下降する効果を通して対流循環を作り、または流体ポンピング装置（１２３）の設置を通して、電力モータによる駆動、その他機械エネルギーによる駆動、または人力による駆動が可能であり、一流動方向のポンピングを採用する場合、被覆状の前記均温室構造（２２０）を通過する前記流体をポンピングし、前記流体配管（２２１）を経て、前記建物（１１０）または前記その他密閉または半密閉構造の内部空間の前記均温装置（１２２）へ通じ、再び前記流体配管（２３１）を経て、被覆状の前記均温室構造（２２０）まで流れ戻り、周期的に流向を変更するようなポンピングを採用する場合、その中の一つのポンピング流向は、別の流向へポンピングするとき、前記流体が前記流体配管（２３１）を経て、前記建物（１１０）または前記その他密閉または半密閉構造の内部空間の前記均温装置（１２２）へ通じ、再び前記流体配管（２２１）を経て、被覆状の前記均温室構造（２２０）まで流れ戻り、間接的に前記水道水システムの熱エネルギーを前記均温装置（１２２）と前記建物（１１０）または前記その他密閉または半密閉構造の内部空間とに伝送し、間接的に熱エネルギーの均一な熱を伝導し、前記流体配管（２２１）及び前記流体配管（２３１）は、別々に前記建物（１１０）または前記その他密閉または半密閉構造の内部空間に設置する前記均温装置（１２２）へ通じ、制御装置（２５０）はメカトロニクスコンポーネントまたは固相電子回路コンポーネント、またはマイクロプロセッサー及び関連ソフトウェア及び制御インターフェースによって構成され、前記流体ポンピング装置（１２３）の運転を制御する、
上記（１）〜（５）のうちの少なくとも１つの構成方式を含むことを特徴とする請求項１に記載の均温システム。
【請求項１１】
地下や地上の水道水配管に熱エネルギー伝導構造を並列に設置可能であり、熱伝導のバネ状構造により互いに熱エネルギーを伝送する補助均温配管を通して、目的物または目的空間へ通じる別の気体や液相流体により、間接的に水道水配管内部水流の熱エネルギーを前記目的物または前記目的空間へ均一な熱を伝送し、
（１）水道水システムの地下水道管（１０３）の中の一段の周りに、少なくとも一個の互いに熱エネルギーを伝送する補助均温配管（２２２）を並列に設置し、二者はニーズによって同構造体に形成し、または互いに構造を連結することにより、熱エネルギーの伝送を有利にし、または二者の間に熱伝導のバネ状構造（２２３）またはその他熱伝導体構造またはヒートパイプ装置を設置し、間接的に前記水道水システムの前記地下水道管（１０３）内部水流の熱エネルギーを前記補助均温配管（２２２）内部の流体へ間接的に熱エネルギーを伝送し、前記補助均温配管（２２２）の両端に少なくとも一個の流体入口（２１８）を設け、及び開放式空間の流体配管（２２１）へ通じじ、別端に少なくとも一個の流体出口（２１９）を設け、及び前記開放式空間の流体配管（２３１）へ通じ、気体や液相の流体を流入および流出させ、及びニーズによって計量装置（２５１）と流量制御バルブ（２５２）とを設置し、前記流体は温かい空気は上昇し冷たい空気は下降する効果を通して対流循環を作り、または流体ポンピング装置（１２３）の設置を通して、電力モータによる駆動、その他機械エネルギーによる駆動、または人力による駆動が可能であり、一流動方向のポンピングを採用する場合、前記補助均温配管（２２２）を通過する前記流体をポンピングし、前記流体配管（２２１）を経て前記開放式空間へ通じ、前記開放式空間の前記流体が前記流体配管（２３１）を経て、前記補助均温配管（２２２）へ流れ戻り、周期的に流向を変更するようなポンピングを採用する場合、その中の一つのポンピング流向は、別の流向へポンピングするとき、前記流体が前記流体配管（２３１）を経て、前記開放式空間へ通じ、前記開放式空間の前記流体は前記流体配管（２２１）を経て、前記補助均温配管（２２２）へ流れ戻り、間接的に前記水道水システムの熱エネルギーを前記開放式空間へ伝送し、間接的に熱エネルギーの均一な温度を伝導し、前記流体配管（２２１）及び前記流体配管（２３１）は、別々に前記開放式空間へ通じ、前記流体配管（２２１）及び前記流体配管（２３１）の流体入出口に取り付けるろ過装置（１２４）は、ニーズによって設置し、または設置しないことを選択可能である、
（２）水道水システムの地下水道管（１０３）の中の一段の周りに少なくとも一個の互いに熱エネルギーを伝送する補助均温配管（２２２）を並列に設置し、二者はニーズによって同構造体に形成し、または互いに構造を連結することにより、熱エネルギーの伝送を有利にし、または二者の間に熱伝導のバネ状構造（２２３）またはその他熱伝導体構造またはヒートパイプ装置を設置し、間接的に前記水道水システムの前記地下水道管（１０３）内部水流の熱エネルギーを前記補助均温配管（２２２）内部の流体へ間接的に熱エネルギーを伝送し、前記補助均温配管（２２２）の両端に少なくとも一個の流体入口（２１８）を設け、及び建物（１１０）またはその他密閉または半密閉構造の内部空間の流体配管（２２１）へ通じ、別端に少なくとも一個の流体出口（２１９）を設け、及び前記建物（１１０）または前記その他密閉または半密閉構造の内部空間の流体配管（２３１）へ通じ、気体や液相の流体を流入および流出させ、及びニーズによって計量装置（２５１）と流量制御バルブ（２５２）とを設置し、前記流体は温かい空気は上昇し冷たい空気は下降する効果を通して対流循環を作り、または流体ポンピング装置（１２３）の設置を通して、電力モータによる駆動、その他機械エネルギーによる駆動、または人力による駆動が可能であり、一流動方向のポンピングを採用する場合、前記補助均温配管（２２２）を通過する前記流体をポンピングし、前記流体配管（２２１）を経て、前記建物（１１０）または前記その他密閉または半密閉構造の内部空間へ通じ、再び前記流体配管（２３１）を経て前記補助均温配管（２２２）へ流れ戻り、周期的に流向を変更するようなポンピングを採用する場合、その中の一つのポンピング流向は、別の流向へポンピングするとき、前記流体が前記流体配管（２３１）を経て、前記建物（１１０）または前記その他密閉または半密閉構造の内部空間へ通じ、再び前記流体配管（２２１）を経て前記補助均温配管（２２２）へ流れ戻り、間接的に前記水道水システムの熱エネルギーを前記建物（１１０）または前記その他密閉または半密閉構造の内部空間へ伝送し、間接的に熱エネルギーの均一な熱を伝導し、前記流体配管（２２１）及び前記流体配管（２３１）は、別々に前記建物（１１０）または前記その他密閉または半密閉構造の内部空間へ通じ、前記流体配管（２２１）及び前記流体配管（２３１）の流体入出口に取り付けるろ過装置（１２４）は、ニーズによって設置し、または設置しないことを選択可能である、
（３）水道水システムの地下水道管（１０３）の中の一段の周りに少なくとも一個の互いに熱エネルギーを伝送する補助均温配管（２２２）を並列に設置し、二者はニーズによって同構造体に形成し、または互いに構造を連結することにより、熱エネルギーの伝送を有利にし、または二者の間に熱伝導のバネ状構造（２２３）またはその他熱伝導体構造またはヒートパイプ装置を設置し、間接的に前記水道水システムの前記地下水道管（１０３）内部水流の熱エネルギーを前記補助均温配管（２２２）内部の流体へ間接的に熱エネルギーを伝送し、前記補助均温配管（２２２）の一端に少なくとも一個の流体入口（２１８）を設け、流体配管（２２１）を室外空間に出し、別端に少なくとも一個の流体出口（２１９）を設け、及び建物（１１０）またはその他密閉または半密閉構造の内部空間の流体配管（２３１）へ通じ、気体や液相の流体を流通させ、及びニーズによって計量装置（２５１）と流量制御バルブ（２５２）とを設置し、前記流体は温かい空気は上昇し冷たい空気は下降する効果を通して対流循環を作り、または流体ポンピング装置（１２３）の設置を通して、電力モータによる駆動、その他機械エネルギーによる駆動、または人力による駆動が可能であり、一流動方向のポンピングを採用する場合、室外の前記流体配管（２２１）を経て、前記補助均温配管（２２２）を通過する前記流体をポンピングしてから、再び前記流体配管（２３１）を経て前記建物（１１０）または前記その他密閉または半密閉構造の内部空間へ通じ、間接的に前記水道水システムの熱エネルギーを前記建物（１１０）または前記その他密閉または半密閉構造の内部空間へ伝送し、間接的に熱エネルギーの均一な熱を伝導し、前記流体配管（２２１）を室外空間へ出し、かつ前記流体配管（２３１）は、前記建物（１１０）または前記その他密閉または半密閉構造の内部空間へ通じ、前記流体配管（２２１）及び前記流体配管（２３１）の流体入出口に取り付けるろ過装置（１２４）は、ニーズによって設置し、または設置しないことを選択可能である、
（４）水道水システムの地下水道管（１０３）の中の一段の周りに少なくとも一個の互いに熱エネルギーを伝送する補助均温配管（２２２）を並列に設置し、二者はニーズによって同構造体に形成し、または互いに構造を連結することにより、熱エネルギーの伝送を有利にし、または二者の間に熱伝導のバネ状構造（２２３）またはその他熱伝導体構造またはヒートパイプ装置を設置し、間接的に前記水道水システムの前記地下水道管（１０３）内部水流の熱エネルギーを前記補助均温配管（２２２）内部の流体へ間接的に熱エネルギーを伝送し、前記補助均温配管（２２２）の両端に少なくとも一個の流体入口（２１８）を設け、及び開放式空間の流体配管（２２１）へ通じ、別端に少なくとも一個の流体出口（２１９）を設け、及び前記開放式空間の流体配管（２３１）へ通じ、気体や液相の流体を流入および流出させ、及びニーズによって計量装置（２５１）と流量制御バルブ（２５２）とを設置し、前記流体は温かい空気は上昇し冷たい空気は下降する効果を通して対流循環を作り、または流体ポンピング装置（１２３）の設置を通して、電力モータによる駆動、その他機械エネルギーによる駆動、または人力による駆動が可能であり、一流動方向のポンピングを採用する場合、前記補助均温配管（２２２）を通過する前記流体をポンピングし、前記流体配管（２２１）を経て、前記開放式空間の均温装置（１２２）へ通じ、再び前記流体配管（２３１）を経て、前記補助均温配管（２２２）へ流れ戻り、周期的に流向を変更するようなポンピングを採用する場合、その中の一つのポンピング流向は、別の流向へポンピングするとき、前記流体が前記流体配管（２３１）を経て、前記開放式空間の前記均温装置（１２２）へ通じ、再び前記流体配管（２２１）を経て、前記補助均温配管（２２２）へ流れ戻り、間接的に前記水道水システムの熱エネルギーを前記均温装置（１２２）と前記開放式空間とに伝送し、間接的に熱エネルギーの均一な熱の伝送を伝導し、前記流体配管（２２１）及び前記流体配管（２３１）は、別々に前記目的物の前記開放式空間に設置する前記均温装置（１２２）へ通じる、
（５）水道水システムの地下水道管（１０３）の中の一段の周りに少なくとも一個の互いに熱エネルギーを伝送する補助均温配管（２２２）を並列に設置し、二者はニーズによって同構造体に形成し、または互いに構造を連結することにより、熱エネルギーの伝送を有利にし、または二者の間に熱伝導のバネ状構造（２２３）またはその他熱伝導体構造またはヒートパイプ装置を設置し、間接的に前記水道水システムの前記地下水道管（１０３）内部水流の熱エネルギーを前記補助均温配管（２２２）内部の流体へ間接的に熱エネルギーを伝送し、前記補助均温配管（２２２）の両端に少なくとも一個の流体入口（２１８）を設け、及び建物（１１０）またはその他密閉または半密閉構造の内部空間の流体配管（２２１）へ通じ、別端に少なくとも一個の流体出口（２１９）を設け、及び前記建物（１１０）または前記その他密閉または半密閉構造の内部空間の流体配管（２３１）へ通じ、気体や液相の流体を流入および流出させ、及びニーズによって計量装置（２５１）と流量制御バルブ（２５２）とを設置し、前記流体は温かい空気は上昇し冷たい空気は下降する効果を通して対流循環を作り、または流体ポンピング装置（１２３）の設置を通して、電力モータによる駆動、その他機械エネルギーによる駆動、または人力による駆動が可能であり、一流動方向のポンピングを採用する場合、前記補助均温配管（２２２）を通過する前記流体をポンピングし、前記流体配管（２２１）を経て、前記建物（１１０）または前記その他密閉または半密閉構造の内部空間の均温装置（１２２）へ通じ、周期的に流向を変更するようなポンピングを採用する場合、その中の一つのポンピング流向は、別の流向へポンピングするとき、前記流体が前記流体配管（２３１）を経て、前記補助均温配管（２２２）へ流れ戻り、または前記流体配管（２３１）へ通じる前記建物（１１０）または前記その他密閉または半密閉構造の内部空間の前記均温装置（１２２）を経て、再び前記流体配管（２２１）を経て前記補助均温配管（２２２）へ流れ戻り、間接的に前記水道水システムの熱エネルギーを前記均温装置（１２２）と前記建物（１１０）または前記その他密閉または半密閉構造の内部空間とに伝送し、間接的に熱エネルギーの均一な熱を伝導し、前記流体配管（２２１）及び前記流体配管（２３１）は、別々に前記建物（１１０）または前記その他密閉または半密閉構造の内部空間に設置する前記均温装置（１２２）へ通じ、制御装置（２５０）はメカトロニクスコンポーネントまたは固相電子回路コンポーネント、またはマイクロプロセッサー及び関連ソフトウェア及び制御インターフェースによって構成され、前記流体ポンピング装置（１２３）の運転を制御する、
上記（１）〜（５）のうちの少なくとも１つの方式を含むことを特徴とする請求項１に記載の均温システム。
【請求項１２】
地下や地上の水道水管内部に螺旋状隔離構造をもつ被覆状の均温室構造を設置可能であり、前記目的物または前記目的空間へ通じる別の気体や液相流体が流れ、間接的に水道水管内部水流の熱エネルギーを前記目的物または前記目的空間へ均一な熱を伝送し、
（１）水道水システムの地下水道管（１０３）の中の一段の周り内部に螺旋状隔離構造をもつ被覆状の均温室構造（２４０）を設置し、内部に螺旋状隔離構造をもつ被覆状の前記均温室構造（２４０）の両端面は密閉を呈し、その近隣の密閉端面の一端に少なくとも一個の流体入口（２１８）を設け、及び開放式空間の流体配管（２２１）へ通じ、別端に少なくとも一個の流体出口（２１９）を設け、及び前記開放式空間の流体配管（２３１）へ通じ、気体や液相の流体を流入および流出させ、及びニーズによって計量装置（２５１）と流量制御バルブ（２５２）とを設置し、前記流体は温かい空気は上昇し冷たい空気は下降する効果を通して対流循環を作り、または流体ポンピング装置（１２３）の設置を通して、電力モータによる駆動、その他機械エネルギーによる駆動、または人力による駆動が可能であり、一流動方向のポンピングを採用する場合、内部に螺旋状隔離構造をもつ被覆状の前記均温室構造（２４０）を通過する前記流体をポンピングし、前記流体配管（２２１）を経て、前記開放式空間へ通じ、前記開放式空間の前記流体は前記流体配管（２３１）を経て、内部に螺旋状隔離構造をもつ被覆状の前記均温室構造（２４０）へ流れ戻り、周期的に流向を変更するようなポンピングを採用する場合、その中の一つのポンピング流向は、別の流向へポンピングするとき、前記流体が前記流体配管（２３１）を経て、前記開放式空間へ通じ、前記開放式空間の前記流体が前記流体配管（２２１）を経て、内部に螺旋状隔離構造をもつ被覆状の前記均温室構造（２４０）へ流れ戻り、間接的に前記水道水システムの熱エネルギーを前記開放式空間へ伝送し、間接的に熱エネルギーの均一な熱を伝導し、前記流体配管（２２１）及び前記流体配管（２３１）は、別々に前記開放式空間へ通じ、前記流体配管（２２１）及び前記流体配管（２３１）の流体入出口に取り付けるろ過装置（１２４）は、ニーズによって設置し、または設置しないことを選択可能である、
（２）水道水システムの地下水道管（１０３）の中の一段の周り内部に螺旋状隔離構造をもつ被覆状の均温室構造（２４０）を設置し、内部に螺旋状隔離構造をもつ被覆状の前記均温室構造（２４０）の両端面は密閉を呈し、その近隣の密閉端面の一端に少なくとも一個の流体入口（２１８）を設け、及び建物（１１０）またはその他密閉または半密閉構造の内部空間の流体配管（２２１）へ通じ、別端に少なくとも一個の流体出口（２１９）を設け、及び前記建物（１１０）または前記その他密閉または半密閉構造の内部空間の流体配管（２３１）へ通じ、気体や液相の流体を流入および流出させ、及びニーズによって計量装置（２５１）と流量制御バルブ（２５２）とを設置し、前記流体は温かい空気は上昇し冷たい空気は下降する効果を通して対流循環を作り、または流体ポンピング装置（１２３）の設置を通して、電力モータによる駆動、その他機械エネルギーによる駆動、または人力による駆動が可能であり、一流動方向のポンピングを採用する場合、内部に螺旋状隔離構造をもつ被覆状の前記均温室構造（２４０）を通過する前記流体をポンピングし、前記流体配管（２２１）を経て、前記建物（１１０）または前記その他密閉または半密閉構造の内部空間へ通じ、再び前記流体配管（２３１）を経て、内部に螺旋状隔離構造をもつ被覆状の前記均温室構造（２４０）へ流れ戻り、周期的に流向を変更するようなポンピングを採用する場合、その中の一つのポンピング流向は、別の流向へポンピングするとき、前記流体が前記流体配管（２３１）を経て、前記建物（１１０）または前記その他密閉または半密閉構造の内部空間へ通じ、再び前記流体配管（２２１）を経て、内部に螺旋状隔離構造をもつ被覆状の前記均温室構造（２４０）へ流れ戻り、間接的に前記水道水システムの熱エネルギーを前記建物（１１０）または前記その他密閉または半密閉構造の内部空間へ伝送し、間接的に熱エネルギーの均一な熱を伝導し、前記流体配管（２２１）及び前記流体配管（２３１）は、別々に前記建物（１１０）または前記その他密閉または半密閉構造の内部空間へ通じ、前記流体配管（２２１）及び前記流体配管（２３１）の流体入出口に取り付けるろ過装置（１２４）は、ニーズによって設置し、または設置しないことを選択可能である、
（３）水道水システムの地下水道管（１０３）の中の一段の周り内部に螺旋状隔離構造をもつ被覆状の均温室構造（２４０）を設置し、内部に螺旋状隔離構造をもつ被覆状の前記均温室構造（２４０）の両端面は密閉を呈し、その近隣の密閉端面の一端に少なくとも一個の流体入口（２１８）を設け、建物の外部空間へ通じる流体配管（２２１）と接続し、別端に少なくとも一個の流体出口（２１９）を設け、建物（１１０）またはその他密閉または半密閉構造の内部空間へ通じる流体配管（２３１）と接続し、気体や液相の流体を流入および流出させ、及びニーズによって計量装置（２５１）と流量制御バルブ（２５２）とを設置し、前記流体は温かい空気は上昇し冷たい空気は下降する効果を通して対流循環を作り、または流体ポンピング装置（１２３）の設置を通して、電力モータによる駆動、その他機械エネルギーによる駆動、または人力による駆動が可能であり、一流動方向のポンピングを採用する場合、室外の流体または前記流体配管（２２１）を経てポンピングし、及び内部に螺旋状隔離構造をもつ被覆状の前記均温室構造（２４０）を通過してから、再び前記流体配管（２３１）を経て、前記建物（１１０）または前記その他密閉または半密閉構造の内部空間へ通じ、間接的に前記水道水システムの熱エネルギーを前記建物（１１０）または前記その他密閉または半密閉構造の内部空間へ伝送し、間接的に熱エネルギーの均一な熱を伝導し、前記流体配管（２２１）は室外空間へ通じ、かつ前記流体配管（２３１）は前記建物（１１０）または前記その他密閉または半密閉構造の内部空間へ通じ、前記流体配管（２２１）及び前記流体配管（２３１）の流体入出口に取り付けるろ過装置（１２４）は、ニーズによって設置し、または設置しないことを選択可能である、
（４）水道水システムの地下水道管（１０３）の中の一段の周り内部に螺旋状隔離構造をもつ被覆状の均温室構造（２４０）を設置し、内部に螺旋状隔離構造をもつ被覆状の前記均温室構造（２４０）の両端面は密閉を呈し、その近隣の密閉端面の一端に少なくとも一個の流体入口（２１８）を設け、及び開放式空間の流体配管（２２１）へ通じ、別端に少なくとも一個の流体出口（２１９）を設け、及び前記開放式空間の流体配管（２３１）へ通じ、気体や液相の流体を流入および流出させ、及びニーズによって計量装置（２５１）と流量制御バルブ（２５２）とを設置し、前記流体は温かい空気は上昇し冷たい空気は下降する効果を通して対流循環を作り、または流体ポンピング装置（１２３）の設置を通して、電力モータによる駆動、その他機械エネルギーによる駆動、または人力による駆動が可能であり、一流動方向のポンピングを採用する場合、内部に螺旋状隔離構造をもつ被覆状の前記均温室構造（２４０）を通過する前記流体をポンピングし、前記流体配管（２２１）を経て、前記開放式空間の均温装置（１２２）へ通じ、再び前記流体配管（２３１）を経て、内部に螺旋状隔離構造をもつ被覆状の前記均温室構造（２４０）へ流れ戻り、周期的に流向を変更するようなポンピングを採用する場合、その中の一つのポンピング流向は、別の流向へポンピングするとき、前記流体が前記流体配管（２３１）を経て、前記開放式空間の均温装置（１２２）へ通じ、再び前記流体配管（２２１）を経て、内部に螺旋状隔離構造をもつ被覆状の前記均温室構造（２４０）へ流れ戻り、間接的に前記水道水システムの熱エネルギーを前記均温装置（１２２）と前記開放式空間とに伝送し、間接的に熱エネルギーの均一な熱を伝導し、前記流体配管（２２１）及び前記流体配管（２３１）は、別々に前記開放式空間に設置する前記均温装置（１２２）へ通じる、
（５）水道水システムの地下水道管（１０３）の中の一段の周り内部に螺旋状隔離構造をもつ被覆状の均温室構造（２４０）を設置し、内部に螺旋状隔離構造をもつ被覆状の前記均温室構造（２４０）の両端面は密閉を呈し、その近隣の密閉端面の一端に少なくとも一個の流体入口（２１８）を設け、及び建物（１１０）またはその他密閉または半密閉構造の内部空間の流体配管（２２１）へ通じ、別端に少なくとも一個の流体出口（２１９）を設け、及び前記建物（１１０）または前記その他密閉または半密閉構造の内部空間の流体配管（２３１）へ通じ、気体や液相の流体を流入および流出させ、及びニーズによって計量装置（２５１）と流量制御バルブ（２５２）とを設置し、前記流体は温かい空気は上昇し冷たい空気は下降する効果を通して対流循環を作り、または流体ポンピング装置（１２３）の設置を通して、電力モータによる駆動、その他機械エネルギーによる駆動、または人力による駆動が可能であり、一流動方向のポンピングを採用する場合、内部に螺旋状隔離構造をもつ被覆状の前記均温室構造（２４０）を通過する前記流体をポンピングし、前記流体配管（２２１）を経て、前記建物（１１０）または前記その他密閉または半密閉構造の内部空間の均温装置（１２２）へ通じ、再び前記流体配管（２３１）を経て、内部に螺旋状隔離構造をもつ被覆状の前記均温室構造（２４０）へ流れ戻り、周期的に流向を変更するようなポンピングを採用する場合、その中の一つのポンピング流向は、別の流向へポンピングするとき、前記流体が前記流体配管（２３１）を経て、前記建物（１１０）または前記その他密閉または半密閉構造の内部空間の前記均温装置（１２２）へ通じ、再び前記流体配管（２２１）を経て、内部に螺旋状隔離構造をもつ被覆状の前記均温室構造（２４０）へ流れ戻り、間接的に前記水道水システムの熱エネルギーを前記均温装置（１２２）と前記建物（１１０）または前記その他密閉または半密閉構造の内部空間とに伝送し、間接的に熱エネルギーの均一な熱を伝導し、前記流体配管（２２１）及び前記流体配管（２３１）は、別々に前記建物（１１０）または前記その他密閉または半密閉構造の内部空間に設置する前記均温装置（１２２）へ通じ、制御装置（２５０）はメカトロニクスコンポーネントまたは固相電子回路コンポーネント、またはマイクロプロセッサー及び関連ソフトウェア及び制御インターフェースによって構成され、前記流体ポンピング装置（１２３）の運転を制御する、
上記（１）〜（５）のうちの少なくとも１つの方式を含むことを特徴とする請求項１に記載の均温システム。
【請求項１３】
給水の水流または熱エネルギーを有する液相や気体流体を通過する配管の熱伝導性をもつ外部に、少なくとも二個の熱伝導性を有する流体出入口の中空被覆体を設置し、前記中空被覆体は熱伝導性流体または気体または液体を通過させることにより、被覆式配管の流体間の熱エネルギー伝送装置を構成し、流体の熱エネルギーを前記中空被覆体の前記熱伝導性流体まで伝送し、かつ更に各種の蓄温機能をもつ熱エネルギーの気体や液相の流体への応用が可能であり、前記被覆式配管の流体間の前記熱エネルギー伝送装置の中の配管を通り、かつ配管外部と被覆体の間を通る気体や液相の流体に対して、均一な熱に保つ熱エネルギーを伝送し、
配管（３００）、中空被覆体（３０２）、熱伝導性流体出入口（３０３）、（３０４）および中空被覆体の内部空間（３０５）を含み、
前記配管（３００）は、直線または曲線または円状に近いまたは螺旋状または選定する幾何形状の管状構造を呈し、その上に少なくとも一個の流体入口（３０１）及び少なくとも一個の流体出口（３０１）’を設け、給水の水流または熱エネルギーを有する液流および気流を通過させ、かつ熱伝導性材料により作成する配管外部を経て、前記中空被覆体（３０２）内部の前記熱伝導性流体に対して熱エネルギーを伝送し、被覆される前記配管（３００）の数量はニーズによって選定可能であり、
前記中空被覆体（３０２）は、前記配管外部を被覆し、熱伝導性材料または非熱伝導性材料により形成可能であり、前記中空被覆体の前記内部空間（３０５）は前記熱伝導性流体を通過させ、少なくとも二個の熱伝導性流体出入口（３０３）、（３０４）を設け、前記熱伝導性流体を通過させ、前記熱伝導性流体を送り込んだりまたは送り出したりする以外に、残りは中空密閉構造を呈し、かつ前記配管外部を被覆し、前記中空被覆体（３０２）の数量はニーズによって選定可能であり、
前記熱伝導性流体出入口（３０３）、（３０４）は、外部に対して前記熱伝導性流体を送り出したりまたは送り込んだりすることにより、前記中空被覆体（３０２）内部の前記熱伝導性流体は、前記配管（３００）内部からの給水の水流または熱エネルギーを有する液相や気体流体の熱エネルギーを受け、外部の目的物まで伝送し、前記熱伝導性流体出入口（３０３）、（３０４）の数量はニーズによって選定可能であり、
前記中空被覆体の内部空間（３０５）は、前記中空被覆体（３０２）と前記配管（３００）外部の間に空間を形成し、前記熱伝導性流体を通過させ、
前記配管（３００）を通過する給水流体または熱エネルギーを有する液相や気体流体の熱エネルギーを前記中空被覆体（３０２）の中の前記熱伝導性流体への伝送効果を高めるために、更に前記配管（３００）の前記中空被覆体（３０２）に被覆される外部と前記熱伝導性流体が接触する部分に、熱伝導バネ構造（３０６）を増設し、熱伝導面積を増加させることにより、熱伝導性流体熱エネルギーの伝送を高め、かつ前記中空被覆体（３０２）の内部は、ニーズによって前記熱伝導バネ（３０６）を設置し、または設置しないことを選択可能であり、
前記被覆式配管の流体間の前記熱エネルギー伝送装置の構造方式は、（１）鋳造または溶接によって全体構造に形成する、または（２）組立構造に形成し、
前記被覆式配管の流体間に前記熱エネルギー伝送装置が採用する全体構造またはその中の配管の構造部分の材料は、熱伝導性材料、銑鉄、アルミ、銅、ステンレスによって構成され、または熱伝導性をもつ材料により形成され、熱エネルギーの伝送を有利にし、
前記被覆式配管の流体間の前記熱エネルギー伝送装置は、各種貯温体の熱エネルギーが目的物または目的空間に対して熱エネルギーを伝送し、被覆される前記配管（３００）は一個または一個以上、かつ前記配管（３００）にされる前記中空被覆体（３０２）も一個または一個以上であることが可能であり、
（１）熱エネルギーを有する気体や液相の流体が通過する配管へ応用し、かつ管体が伝導する熱エネルギーを通して、均一な熱にされる目的空間または目的物へ通じる気体や液相流体に対して、均一な熱を伝送する、
（２）逆方向に外部から熱エネルギーを有する気体や液相流体を送り込むことに応用し、かつ管体の熱エネルギーを伝送し、配管内の気体や液相流体に対して、均一な熱を伝導する、
上記（１）および（２）のうちの少なくとも１つの機能を含む均温システム。
【請求項１４】
伝導式配管の流体間の熱エネルギー伝送装置により、流体に対して流体間で均一な熱を伝導し、
前記伝導式配管の流体間の前記熱エネルギー伝送装置は、少なくとも一個の第一配管及び少なくとも一個の第二配管を有し、前記第一配管と前記第二配管を別々に設置し、かつ前記第一配管と前記第二配管の間に熱伝導構造を設け、
前記第一配管は給水の水流または熱エネルギーを有する液相や気体の流体を通過させ、前記第二配管も水流またはその他液相や気体の熱伝導性流体を通過させ、かつ前記熱伝導構造を通して、前記第一配管中の給水の水流またはその他液相や気体流体の熱エネルギーと前記第二配管中の気体や液相流体に対して、均一な温度を保つ熱エネルギーを伝送し、かつ更に各種の蓄温機能をもつ熱エネルギーの気体や液相の流体への応用が可能であり、前記伝導式配管の流体間の前記熱エネルギー伝送装置中の前記第一配管により、前記熱伝導構造により前記第二配管を通る気体や液相の流体に対して、均一な温度を保つ温度エネルギーを伝送し、
第一配管（４００）、第二配管（５００）、熱伝導構造（３０００）および伝導性流体出入口（４０３）、（４０４）を含み、
前記第一配管（４００）は、直線または曲線または円状に近いまたは螺旋状または選定する幾何形状の管状構造を呈し、その上に少なくとも一個の流体入口（４０１）及び少なくとも一個の流体出口（４０１’）を設け、給水の水流または熱エネルギーを有する気体や液相の流体を通過させ、かつ熱伝導性材料により形成する配管外部と前記熱伝導構造（３０００）を経て、及び熱伝導性材料により形成する第二配管外部を経て、その内部の水流または液相や気体の熱伝導性流体に対して、熱エネルギーを伝送し、前記第一配管（４００）の数量はニーズによって選定可能であり、
前記第二配管（５００）は、直線または曲線または円状に近いまたは螺旋状または選定する幾何形状の管状構造を呈し、その上に少なくとも二個の熱伝導性の前記流体出入口（４０３）、（４０４）を設け、給水の水流または熱エネルギーを有する気体や液相の流体を通過させ、かつ前記第二配管（５００）本体は熱伝導性材料により形成する配管外部と前記熱伝導構造（３０００）を経て、及び熱伝導性材料により形成する第一配管外部を経て、前記第一配管（４００）内部の水流または液相や気体熱伝導性流体に対して、均一な温度を保つ熱エネルギーを伝送し、前記第二配管（５００）の数量はニーズによって選定可能であり、
前記熱伝導構造（３０００）は、良好な熱伝導性材料によって構成され、前記第一配管（４００）及び前記第二配管（５００）の間に接続し、前記第一配管（４００）を通過する給水の水流または熱エネルギーを有する気体や液相流体の熱エネルギーは、前記第一配管（４００）の熱伝導外部及び前記熱伝導構造（３０００）を経て、及び前記第二配管（５００）の熱伝導外部を経て、前記第二配管（５００）内部の水流または気体や液相流体へ均一な温度を保つ熱エネルギーを伝送し、
前記熱伝導性流体出入口（４０３）、（４０４）は、外部に対して水流または熱エネルギーを有する液相や気体の熱伝導性流体を送り出したりまたは送り込んだりし、前記第二配管（５００）内部の熱伝導性流体が、前記第一配管（４００）内部の給水の水流または熱エネルギーを有する液相や気体流体から受けた熱エネルギーを外部の目的物まで伝送し、または外部に対して熱エネルギーを放出し、前記熱伝導性流体出入口（４０３）、（４０４）の数量はニーズによって選定し、
前記第一配管（４００）内部に近隣する前記熱伝導構造（３０００）の位置に、内部熱伝導バネ（４０６）を増設し、熱伝導面積を増加させることにより、前記第一配管（４００）内部を通過する給水の水流または熱エネルギーを有する気体や液相流体の熱エネルギーが前記第一配管（４００）内部の前記熱伝導バネ（４０６）及び本体熱伝導性配管外部を経て、及び前記熱伝導構造（３０００）と前記第二配管（５００）の熱伝導性配管外部を経て、かつ前記第二配管（５００）内部に近隣する前記熱伝導構造（３０００）の位置に前記内部熱伝導バネ（４０６）を設置することにより、前記第二配管（５００）内部の水流または気体や液相の熱伝導性流体に対して、均一な温度を保つ熱エネルギーを伝送し、
前記伝導式配管の流体間の前記熱エネルギー伝送装置の構造方式は、（１）鋳造または溶接によって全体構造に形成する、または（２）組立構造に形成し、
前記伝導式配管の流体間の前記熱エネルギー伝送装置の全体構造の材料は、熱伝導性を有する材料によって構成され、銑鉄、アルミ、銅、ステンレス、または熱伝導性をもつ材料により形成可能であり、熱エネルギーの伝送を有利にし、
前記伝導式配管の流体間の前記熱エネルギー伝送装置は、各種貯温体の熱エネルギーが目的物または目的空間の温度に対して、エネルギーの伝送への応用が可能であり、前記第一配管（４００）は一個または一個以上で、前記熱伝導構造（３０００）を経て、前記第一配管（４００）の前記第二配管（５００）へ接続するとき、一個または一個以上であることが可能であり、
（１）熱エネルギーを有する気体や液相の流体が通過する配管へ応用し、かつ管体が伝導する熱エネルギーを通して、均一な温度にされる目的空間または目的物へ通じる気体や液相流体に対して、均一な熱を伝送する、
（２）逆方向に外部から熱エネルギーを有する気体や液相流体を送り込むことに応用し、かつ管体の熱エネルギーを伝送し、配管内の気体や液相流体に対して、均一な熱を伝導する、
上記（１）および（２）のうちの少なくとも１つの機能の作動を行うことを含む均温システム。
【請求項１５】
給水の水流または熱エネルギーを有する液相や気体流体が通過する配管の外部に熱伝導性をもつことを通して、内部に螺旋状流体流路をもつ管状被覆構造を設置し、螺旋状隔離構造と前記管状被覆構造と前記配管により、螺旋管と前記配管の間で流体の熱エネルギー伝送装置を形成し、
前記管状被覆構造は、少なくとも二個の温度伝導性流体出入口を有し、熱伝導性流体または気体または液体を通過させることにより、給水の水流からの熱エネルギーを前記螺旋状流体流路の中の前記熱伝導性流体へ伝送し、かつ更に各種の蓄温機能をもつ熱エネルギーの気体や液相の流体への応用が可能であり、前記螺旋状隔離構造と前記管状被覆構造と配管形成螺旋管と前記配管の間を流体の前記熱エネルギー伝送装置中の配管とし、前記螺旋管を流れる気体や液相の流体に対して、均一な温度を保つ熱エネルギーを伝送し、
配管（６００）、管状被覆構造（６０２）、熱伝導性流体出入口（６０３）、（６０４）および管状被覆構造（６０２）の内部螺旋管状空間（６０５）を含み、
前記配管（６００）は、直線または曲線または円状に近いまたは螺旋状または選定する幾何形状の管状構造を呈し、その上に少なくとも一個の流体入口（６０１）及び少なくとも一個の流体出口（６０１’）を設け、給水の水流または熱エネルギーを有する液流や気流を通過させ、配管（６００）の外部に螺旋状隔離構造（６０６）を設け、前記螺旋状隔離構造（６０６）の外部にまた前記管状被覆構造（６０２）を設け、前記螺旋状隔離構造（６０６）と前記配管（６００）と前記管状被覆構造（６０２）により、前記螺旋管状空間（６０５）を形成し、螺旋管状の流体流路は熱伝導性流体を通過させ、前記管状被覆構造（６０２）に熱伝導性流体を通過させるために、少なくとも二個の前記熱伝導性流体出入口（６０３）、（６０４）を設ける以外に、その二端は密閉の管状構造を呈し、かつ前記螺旋状隔離構造（６０６）と共同して配管外部を取り囲み、かつ配管外部の熱伝導作用を経て、前記螺旋管状空間（６０５）内部の熱伝導性流体に対して熱エネルギーを伝送し、被覆される前記配管（６００）の数量はニーズによって選定可能であり、
前記管状被覆構造（６０２）は、前記配管（６００）の外部を被覆し、熱伝導性材料または非熱伝導性材料により形成可能であり、前記管状被覆構造（６０２）と前記配管（６００）の間に前記螺旋状隔離構造（６０６）を設置し、かつ内部に前記螺旋管状空間（６０５）を形成させ、螺旋管状の流体流路は熱伝導性流体を通過させ、管状被覆構造に熱伝導性流体を通過させるために、少なくとも二個の前記熱伝導性流体出入口（６０３）、（６０４）を設け、熱伝導性流体を送り込んだりまたは送り出したりし、前記管状被覆構造（６０２）の数量はニーズによって選定可能であり、
前記熱伝導性流体出入口（６０３）、（６０４）は、外部に対して熱伝導性流体を送り出したりまたは送り込んだりすることにより、前記螺旋管状空間（６０５）の内部熱の伝導性流体が、前記配管（６００）内部からの給水の水流または熱エネルギーを有する液相や気体流体の熱エネルギーを受け、外部の目的物または目的空間まで伝送し、前記熱伝導性流体出入口（６０３）、（６０４）の数量はニーズによって選定可能であり、
前記管状被覆構造（６０２）の内部螺旋管状空間（６０５）は、前記螺旋状隔離構造（６０６）と前記配管（６００）の外部と前記管状被覆構造（６０２）の三者の間に螺旋状空間を形成することにより、熱伝導性流体を通過させ、
前記螺旋状隔離構造（６０６）と前記管状被覆構造（６０２）と前記配管（６００）により、螺旋管と配管の間で流体の熱エネルギー伝送装置を形成することを採用し、各種の蓄温機能をもつ熱エネルギーの気体や液相の流体への応用が可能であり、前記螺旋状隔離構造（６０６）と前記管状被覆構造（６０２）と前記配管（６００）を流れることにより、螺旋管と配管の間で流体の前記熱エネルギー伝送装置の中の配管を形成し、螺旋管を流れる気体や液相の流体に対して、均一な温度を保つ熱エネルギーを伝送し、前記配管（６００）は一個または一個以上で、かつ前記螺旋状隔離構造（６０６）と前記管状被覆構造（６０２）と前記配管（６００）により、前記螺旋管状空間の被覆式配管を形成する流体間の前記熱エネルギー伝送装置も一個または一個以上であることが可能であり、
前記螺旋状隔離構造（６０６）と前記管状被覆構造（６０２）と前記配管（６００）により、螺旋管と配管の間に形成する流体の前記熱エネルギー伝送装置は、
（１）熱エネルギーを有する気体や液相の流体が通過する配管へ応用し、かつ管体が伝導する熱エネルギーを通して、均一な温度にされる目的空間または目的物へ通じる気体や液相流体に対して、均一な熱を伝送する、
（２）逆方向に外部から熱エネルギーを有する気体や液相流体を送り込むことに応用し、かつ管体の熱エネルギーを伝送し、配管内の気体や液相流体に対して、均一な熱を伝導する、
上記（１）および（２）のうちの少なくとも１つの機能の作動を行うことを含む均温システム。
【発明の詳細な説明】
【技術分野】
【０００１】
本発明は、均温システムに関し、詳しくは水道水を利用して均一な温度を保つ均温システムに関する。
【背景技術】
【０００２】
従来、建物は、夏には冷房で、冬には電気エネルギーまたは灯油暖房で暖め、大量なエネルギーを消費し、また寒冬のときは、地表に近いところまたは外部露出の従来の水道管の凍結、屋上の積雪、道路の氷結による被害が多発するという問題がある。
【発明の概要】
【発明が解決しようとする課題】
【０００３】
本発明は上記問題を解決するためになされたものであり、その目的は、比較的低エネルギー消費の積雪または氷結の対策を行うことができる均温システムを提供することである。
【課題を解決するための手段】
【０００４】
本発明は、地層に埋設されている水道管システムの地下水道管を通して、直接的に水道水の水流と地面に通じる水管と流体ポンプと均熱装置により、分流式密閉配管を構成し、または熱伝導方式を通して、間接的に水管と流体ポンプと均熱装置により、地面に通じる密閉回路内部の流体へ熱エネルギーの伝送を構成することによって、地下水道管内の水流に伝送される熱エネルギーを直接または間接的に地面に通じる密閉配管または開放配管内部の流体まで伝送し、かつ配管内部の流体を通して、一流動方向または周期的に流向を変更するようにポンピングし、伝送したい熱エネルギーを直接的に標的物または標的空間へ送り、または均熱装置を経て、水道水の熱エネルギーと伝送したい熱エネルギーの標的物または標的空間へ均一な温度を保つ熱エネルギーを伝送する。
【図面の簡単な説明】
【０００５】
【図１】従来の水道管と建物の配管配置を示す模式図。
【図２】水道水管で分流式密閉配管の水管を直接構成し、及び流体ポンプと均熱装置とにより、建物内部の均熱機能システムを構成する本発明の一実施形態の均温システムの構造説明図。
【図３】本発明の一実施形態の均温システムを浅層地表の均温機能システムへ応用する構成説明図。
【図４】本発明の一実施形態の均温システムを外部が地表に露出する均温機能システムへ応用する構成説明図。
【図５】本発明の一実施形態の均温システムを建物頂部の構造体内部の均温機能システムへ応用する構成説明図。
【図６】本発明の一実施形態の均温システムを建物頂部の外部に露出する均温機能システムへ応用する構成説明図。
【図７】本発明の一実施形態の均温システムに被覆状の均温室構造を設け、開放式空間に対して、開放式流体圧送システムを示す説明図。
【図８】本発明の一実施形態の均温システムに被覆状の均温室構造を設け、間接的に建物またはその他密閉または半密閉構造の内部空間に対して、開放式流体圧送システムを示す説明図。
【図９】本発明の一実施形態の均温システムに被覆状の均温室構造を設け、外部から流体を引き入れ、間接的に建物またはその他密閉または半密閉構造の内部空間に対して、開放式流体圧送システムを作ることを示す説明図。
【図１０】本発明の一実施形態の均温システムに被覆状の均温室構造を設け、間接的に開放式空間に対して、密閉式流体循環システムを作ることを示す説明図。
【図１１】本発明の一実施形態の均温システムに被覆状の均温室構造を設け、間接的に建物またはその他密閉または半密閉構造の内部空間に対して、密閉式流体循環システムを作ることを示す実施例説明図。
【図１２】本発明の一実施形態の均温システムの水道水管を並列に設置し補助均温配管を設け、間接的に開放式空間に対して、開放式流体圧送システムを作ることをしめす説明図。
【図１３】本発明の一実施形態の均温システムの水道水管を並列に設置し補助均温配管を設け、間接的に建物またはその他密閉または半密閉構造の内部空間に対して、開放式流体圧送システムを作ることを示す説明図。
【図１４】本発明の一実施形態の均温システムの水道水管を並列に設置し補助均温配管を設け、外部から流体を引き入れ、間接的に建物またはその他密閉または半密閉構造の内部空間に対して、開放式流体圧送システムを作ることを示す説明図。
【図１５】本発明の一実施形態の均温システムの水道水管を並列に設置し補助均温配管を設け、間接的に開放式空間に対して、密閉式流体循環システムを作ることを示す説明図。
【図１６】本発明の一実施形態の均温システムの水道水管を並列に設置し補助均温配管を設け、間接的に建物またはその他密閉または半密閉構造の内部空間に対して、密閉式流体循環システムを作ることを示す説明図。
【図１７】本発明の一実施形態の均温システムに内部に螺旋状隔離構造を持つ被覆状の均温室構造を設置し、開放式空間に対して、開放式流体圧送システムを作ることを示す説明図。
【図１８】本発明の一実施形態の均温システムに内部に螺旋状隔離構造を持つ被覆状の均温室構造を設置し、間接的に建物またはその他密閉または半密閉構造の内部空間に対して、開放式流体圧送システムを作ることを示す説明図。
【図１９】本発明の一実施形態の均温システムに内部に螺旋状隔離構造を持つ被覆状の均温室構造を設置し、外部から流体を引き入れ、間接的に建物またはその他密閉または半密閉構造の内部空間に対して、開放式流体圧送システムを作ることを示す説明図。
【図２０】本発明の一実施形態の均温システムに内部に螺旋状隔離構造を持つ被覆状の均温室構造を設置し、間接的に開放式空間に対して、密閉式流体循環システムを作ることを示す説明図。
【図２１】本発明の一実施形態の均温システムに内部に螺旋状隔離構造を持つ被覆状の均温室構造を設置し、間接的に建物またはその他密閉または半密閉構造の内部空間に対して、密閉式流体循環システムを作ることを示す説明図。
【図２２】本発明の一実施形態の水道水の熱エネルギーを通して均一な温度を保つ均温システムは、被覆式配管の流体間に熱エネルギー伝送装置を採用することを示す立体構造説明図。
【図２３】図２２の断面を示す断面図。
【図２４】本発明の一実施形態の均温システムの配管が中空被覆体に被覆される外部と熱伝導性流体が接触している部分に、熱伝導バネ構造を増設することを示す構造説明図。
【図２５】図２４の一実施形態の均温システムの横断面を示す断面図。
【図２６】本発明の一実施形態の均温システムの中空被覆体に被覆される配管は二個である実施例説明図を示す。
【図２７】図２６の断面を示す断面図。
【図２８】本発明の一実施形態の水道水の熱エネルギーを通して均一な温度を保つ均温システムは、伝導式配管の流体間に熱エネルギー伝送装置を採用することを示す立体構造説明図。
【図２９】図２８の断面を示す断面図。
【図３０】本発明の一実施形態の均温システムの第一配管と第二配管に近隣する熱伝導構造の内部に、熱伝導バネを増設することを示す構造説明図。
【図３１】図３０の断面を示す断面図。
【図３２】本発明の一実施形態の均温システムは熱伝導構造３０００により、二個の第二配管及び一個の第一配管を連接することを示す説明図。
【図３３】図３２の断面を示す断面図。
【図３４】本発明の一実施形態の均温システムは、螺旋状隔離構造と管状被覆構造と配管とにより、螺旋管と配管との間で流体の熱エネルギー伝送装置を形成することを示す立体構造説明図。
【図３５】図３４の断面を示す断面図を示す。
【発明を実施するための形態】
【０００６】
本発明の一実施形態を図に基づいて説明する。
水道水は夏冬を問わず、一定温度で約１２−２０℃を保つ。本形態の、水道水を利用して均一な温度を保つ均温システムは、従来の地層に埋設されている水道管システムの地下水道管及び管内の水を熱エネルギー伝送流体とし、直接的に地面に埋め込まれている密閉配管へ入れ込み、または熱伝導方式を利用して、熱エネルギーを間接的に別の密閉配管または開放配管内の熱エネルギー伝送流体へ伝達し、ポンプを利用して、一方流動方向または周期的に流向を変更することにより、熱エネルギー伝送流体をポンピングし、伝送したい熱エネルギーを直接に目的物または目的空間に伝送し、または均温装置を利用して、間接に圧送する熱エネルギー伝送流体の熱エネルギーを圧送したい熱エネルギーの目的物または目的空間まで伝送し、従来の高エネルギー消費のエアコン装置を取り換え、または補助することにより、更にエネルギーを節約する。
【０００７】
本形態の水道水を利用して均一な温度を保つ均温システムの均温効果は、下記のうちの１つまたは１つ以上の効果を含む：
（１）比較的に低温の水道水及び地層の熱エネルギーにより、地表にある伝送したい熱エネルギーの目的物の温度を下げる、
（２）比較的に高温の水道水及び地層の熱エネルギーにより、地表にある伝送したい熱エネルギーの目的物の温度を上げる。
【０００８】
本発明の水道水を利用して均一な温度を保つ均温システムは、下記範囲の１つまたは１つ以上に設置され、均一な温度を保つ目的物または目的空間の応用装置を含み、均温化を調節する熱エネルギーを伝送する。
【０００９】
その中で均一な温度を保つ目的物の応用装置は下記の一つまたは一つ以上を含む：
（１）工作機械、測定器具、観測器具、産業設備、機械設備、動力機械、電機等の特定環境温度を要求する設備装置、
（２）散熱冷却装置、貯電装置、灯具、発光ダイオード、太陽エネルギー発電装置、コンピュータ、コンピュータの周り設備、サーバ、半導体応用設備等の熱的損失装置または散熱を要求するコンポネント、
（３）固相、液相、又は気体化学品を貯蔵する空間または倉庫等。
【００１０】
水道水システムの自然の熱エネルギーを利用して、設備や装置を冷却し、または水道水システムの自然の熱エネルギーを通して、設備や装置の均温、保温を図る。
【００１１】
その均一な温度を保つ目的空間は下記の一つまたは一つ以上を含む：
（１）半密閉式または密閉式建物の内部空間、
（２）半密閉式または密閉式構造の内部空間、
（３）浅層地表、
（４）各種開放空間、
（５）開放地表空間。
【００１２】
本形態の水道水を利用して均一な温度を保つ均温システムの均温の目的建物は、各種家屋、倉庫、または柱状体、またはその他の幾何形状の建物であり、温度を調節する熱エネルギーを伝送することを目的とする。また、その他ニーズによって設計する半密閉式または密閉式構造により、専用建築（例えば涼亭）の構成に対して、温度を調節する熱エネルギーを伝送する。また、例えば道路の浅層地表での均温化へ応用し、露天公共場所の外部露出式での均温化へ応用する。
【００１３】
図１には、従来の水道管と建物の配管配置図を示す。
１０１は地表、１０２は地層、温度は常態で約１２―２０℃の間、１０３は良く使われる地層１０２に埋設されている水道管システムの地下水道管、１０４は水分岐管を利用者の水バルブ１１１と地下水道管１０３の間に連結し、水道水システムの水を利用者に提供する、１１１は利用者の建物１１０の水バルブであって、水流の開閉により、任意に取水する。
【００１４】
上述の配置方式は寒い冬において、従来の給水分岐管１０４が地表１０１に近いところまたは地表露出１０１部分の内部の水は、酷寒により結氷し易くなり、水流を阻害することを欠点とする。
【００１５】
図２には、本形態の、水道水管で分流式密閉配管の水管を直接構成し、及び流体ポンプと均熱装置とにより、建物内部の均熱機能システムを構成する構造説明図を示す。
【００１６】
地下水道管１０３は、地層１０２内に埋設され、水道水システムの水流を伝送する。地下水道管１０３は従来の管形構造、または比較的熱エネルギーを有利に伝送する幾何形状構造、及び各種良好な熱伝導材料、例えば金属またはその他熱伝導材料によって構成することができ、流れる水道水を利用して熱エネルギーを伝送し、及び地下水道管１０３本体を利用して、地層の熱エネルギーを伝導する。また地下水道管１０３はニーズによって、均温装置１２２を選択的に連結して設置することにより、地層の温度エネルギーの伝導効果を増進する。
【００１７】
密閉水管１２１は、従来の管形構造または比較的熱エネルギーを有利に伝送する幾何形状及び材料によって構成することができ、一流路または多流路または特定の弯曲状を呈し、密閉式水流配管を呈す。地下水道管１０３より地表１０１に比較的近いところに設置し、または地表に１０１露出する位置に、または建物１１０本体内部に埋設し、または建物内部や外部の頂部や壁に近いところ、または床内部や地面に近いところ、または壁に近いところ等の選定空間に設置し、密閉水管１２１の入口端は地下水道管１０３と接続し、地下水道管１０３の水流を導入してから、再び密閉水管１２１の出口端と連接する地下水道管１０３の別の段を経て、地下水道管１０３まで流れ戻ることにより水道水流の分流流路を構成し、分流の水道水流を利用して、均一な温度を保つ熱エネルギーを伝送する。また密閉水管１２１はニーズによって均温装置１２２を選択的に連接して設置することができ、及び水道水流をポンピングする流体ポンピング装置１２３を設置し、かつ水流に対して、周期的に流向を変更するようにポンピングし、及びニーズによって計量装置２５１と流量制御バルブ２５２を設置することができる。
【００１８】
均温装置１２２は、良好な熱伝導材料によって構成され、その構造形状は熱伝導に有利な幾何形状である。均温装置１２２は、水の流入口と均温装置１２２内部を通過する水流通路と水の流出口を有し、地下水道管１０３または建物１１０内部の密閉水管１２１に連続的に接続し、通過する水流の熱エネルギーと均温装置１２２の周りの熱エネルギーを均一な温度に保つ熱エネルギーにしてから伝送する、本形態の均温装置は、ニーズによって選択的に設置し、地下水道管１０３に連続的に接続し、または建物１１０内部の密閉水管１２１の二者やその中の一つに連続的に接続し、または設置しないことを選択することができる。
【００１９】
流体ポンピング装置１２３は、均温装置１２２を通過する流体流路に直列に設置し、流体ポンピング装置で生じる圧送力によって、水流のポンピングを利用して、熱エネルギーを伝送する。ポンプは、電力モータ、エンジン動力、その他風エネルギー、熱エネルギー、温度差エネルギー、太陽エネルギーにより形成する機械エネルギーまたは電気エネルギーによって駆動することができる。
【００２０】
制御装置２５０は、メカトロニクスコンポーネントまたは固相電子回路コンポーネント、またはマイクロプロセッサー及び関連ソフトウェア及び制御インターフェースによって構成され、流体ポンピング装置１２３の運転を制御する。
【００２１】
また本形態の水道水を利用して均一な温度を保つ均温システムは、露天公共施設への応用ができる。我々は、水道水システムの地下水道管が、通常道路またはその他露天公共場所に埋設されていることが分かり、道路が寒冬に積雪または結氷すると、車の通行が困難になり、安全に影響を与える可能性があることもわかる。本形態の水道水を利用して均一な温度を保つ均温システムは、例えば道路の浅層地表で均一な熱を伝送し、または露天公共場所の外部露出式の均一な熱の伝送への応用が可能である。
【００２２】
図３は、本形態を浅層地表の均温機能システムへ応用する構成説明図を示す。
地下水道管１０３は、地層１０２内に埋設され、水道水システムの水流を伝送する。地下水道管１０３は従来の管形構造、または比較的熱エネルギーを有利に伝送する幾何形状構造、及び各種良好な熱伝導材料、例えば金属またはその他熱伝導材料によって構成することができ、流れる水道水を利用して熱エネルギーを伝送し、及び地下水道管１０３本体を利用して、地層の熱エネルギーを伝導する。また地下水道管１０３はニーズによって、均温装置１２２を選択的に連続して設置することにより、地層の温度エネルギーの伝導効果を増進する
【００２３】
密閉水管１２１は、従来の管形構造または比較的熱エネルギーを有利に伝送する幾何形状及び材料によって構成され、一流路または多流路または特定の弯曲状を呈し、地下水道管１０３より更に地表１０１に近い位置に設置することにより、密閉式水流配管を呈す。密閉水管１２１の入口端は地下水道管１０３と連接し、地下水道管１０３の水流を導入してから、再び密閉水管１２１の出口端と接続する地下水道管１０３の別の段を経て、地下水道管１０３まで流れ戻ることにより水流の流路を構成し、水流を利用して、均一な温度を保つ熱エネルギーを伝送する。また密閉水管１２１はニーズによって均温装置１２２を選択的に連接して設置することができ、及び水流をポンピングする流体ポンピング装置１２３を選択的に設置することが可能で、及びニーズによって計量装置２５１と流量制御バルブ２５２を設置することができる。
【００２４】
均温装置１２２は、良好な熱伝導材料によって構成され、その構造形状は熱伝導に有利な幾何形状である。均温装置１２２、は水の流入口と均温装置１２２内部を通過する水流通路と水の流出口を有し、地下水道管１０３または密閉水管１２１に連続的に接続し、通過する水流の熱エネルギーと均温装置１２２の周りの熱エネルギーを均一な温度に保つ熱エネルギーにしてから伝送する、本形態の装置は、ニーズによって選択的に設置することができ、地下水道管１０３に連続的に接続し、または地表に近いところの密閉水管１２１の二者やその中の一つに連続的に接続し、または設置しないことを選択することができる。
【００２５】
流体ポンピング装置１２３は、均温装置１２２を通過する流体流路に直列に設置し、流体ポンピング装置で生じる圧送力によって、水流のポンピングを利用して、熱エネルギーを伝送する。ポンプは、電力モータ、エンジン動力、その他風エネルギー、熱エネルギー、温度差エネルギー、太陽エネルギーにより形成する機械エネルギーまたは電気エネルギーによって駆動することができる。
【００２６】
制御装置２５０は、メカトロニクスコンポーネントまたは固相電子回路コンポーネント、またはマイクロプロセッサー及び関連ソフトウェア及び制御インターフェースによって構成され、流体ポンピング装置１２３の運転を制御する。
【００２７】
図４は、本形態を外部が地表に露出する標的の均温機能システムへ応用する構成説明図を示す。
地下水道管１０３は、地層１０２内に埋設され、水道水システムの水流を伝送する。地下水道管１０３は従来の管形構造、または比較的熱エネルギーを有利に伝送する幾何形状構造、及び各種良好な熱伝導材料、例えば金属またはその他熱伝導材料によって構成することができ、流れる水道水を利用して熱エネルギーを伝送し、及び地下水道管１０３本体を利用して、地層の熱エネルギーを伝導する。また地下水道管１０３はニーズによって、均温装置１２２を選択的に連結して設置することにより、地層の温度エネルギーの伝導効果を増進する。
【００２８】
密閉水管１２１は、従来の管形構造または比較的熱エネルギーを有利に伝送する幾何形状及び材料によって構成され、一流路または多流路または特定の弯曲状を呈し、地表１０１に露出する位置に設置し、密閉式水流配管を呈す。密閉水管１２１の入口端は地下水道管１０３と接続し、地下水道管１０３の水流を導入してから、再び密閉水管１２１の出口端と連接する地下水道管１０３の別の段を経て、地下水道管１０３まで流れ戻ることにより水流の流路を構成し、水流を利用して、均一な温度を保つ熱エネルギーを伝送する。また密閉水管１２１はニーズによって均温装置１２２を選択的に連接して設置することができ、及び水流をポンピングする流体ポンピング装置１２３を選択的に設置することが可能で、及びニーズによって計量装置２５１と流量制御バルブ２５２を設置することができる。
【００２９】
均温装置１２２は、良好な熱伝導材料によって構成され、その構造形状は熱伝導に有利な幾何形状である。均温装置１２２は、水の流入口と均温装置１２２内部を通過する水流通路と水の流出口を有し、地下水道管１０３または密閉水管１２１に連続的に接続し、通過する水流の熱エネルギーと均温装置１２２の周りの温度エネルギーを均一な温度を保つ熱エネルギーにしてから伝送する、本形態の均温システムは、ニーズによって選択的に設置することができ、地下水道管１０３に連続的に接続し、または地表に露出する密閉水管１２１の二者やその中の一つに連続的に接続し、または設置しないことを選択することができる。
【００３０】
流体ポンピング装置１２３は、均温装置１２２を通過する流体流路に直列に設置し、流体ポンピング装置で生じる圧送力によって、水流のポンピングを利用して、熱エネルギーを伝送する。ポンプは、電力モータ、エンジン動力、その他風エネルギー、熱エネルギー、温度差エネルギー、太陽エネルギーにより形成する機械エネルギーまたは電気エネルギーによって駆動することができる。
【００３１】
制御装置２５０は、メカトロニクスコンポーネントまたは固相電子回路コンポーネント、またはマイクロプロセッサー及び関連ソフトウェア及び制御インターフェースによって構成され、流体ポンピング装置１２３の運転を制御する。
【００３２】
図５は、本形態を建物頂部の構造体内部の均温機能システムへ応用する構成説明図を示す。
【００３３】
地下水道管１０３は、地層１０２内に埋設され、水道水システムの水流を伝送する。地下水道管１０３は従来の管形構造、または比較的熱エネルギーを有利に伝送する幾何形状構造、及び各種良好な熱伝導材料、例えば金属またはその他熱伝導材料によって構成することができ、流れる水道水を利用して熱エネルギーを伝送し、及び地下水道管１０３本体を利用して、地層の熱エネルギーを伝導する。また地下水道管１０３はニーズによって、均温装置１２２を選択的に連結して設置することにより、地層の温度エネルギーの伝導効果を増進する、
【００３４】
密閉水管１２１は、従来の管形構造または比較的熱エネルギーを有利に伝送する幾何形状及び材料によって構成され、一流路または多流路または特定の弯曲状を呈し、建物１１０頂部の構造体内部に設置し、密閉式水流配管を呈す。密閉水管１２１の入口端は地下水道管１０３と接続し、地下水道管１０３の水流を導入してから、再び密閉水管１２１の出口端と連接する地下水道管１０３の別の段を経て、地下水道管１０３まで流れ戻ることにより水流の流路を構成し、水流を利用して、均一な温度を保つ熱エネルギーを伝送する。また密閉水管１２１はニーズによって均温装置１２２を選択的に連接して設置することができ、及び水流をポンピングする流体ポンピング装置１２３を選択的に設置することが可能で、及びニーズによって計量装置２５１と流量制御バルブ２５２を設置することができる。
【００３５】
均温装置１２２は、良好な熱伝導材料によって構成され、その構造形状は熱伝導に有利な幾何形状である。均温装置１２２は、水の流入口と均温装置１２２内部を通過する水流通路と水の流出口を有し、地下水道管１０３または密閉水管１２１に連続的に接続し、通過する水流の熱エネルギーと均温装置１２２の周りの温度エネルギーを均一な温度を保つ熱エネルギーにしてから伝送する、本形態の均温システムは、ニーズによって選択的に設置することができ、地下水道管１０３に連続的に接続し、または建物１１０頂部の構造体内部の密閉水管１２１の二者やその中の一つに連続的に接続し、または設置しないことを選択することができる。
【００３６】
流体ポンピング装置１２３は、均温装置１２２を通過する流体流路に直列に設置し、流体ポンピング装置で生じる圧送力によって、水流のポンピングを利用して、熱エネルギーを伝送する。ポンプは、電力モータ、エンジン動力、その他風エネルギー、熱エネルギー、温度差エネルギー、太陽エネルギーにより形成する機械エネルギーまたは電気エネルギーによって駆動することができる。
【００３７】
制御装置２５０は、メカトロニクスコンポーネントまたは固相電子回路コンポーネント、またはマイクロプロセッサー及び関連ソフトウェア及び制御インターフェースによって構成され、流体ポンピング装置１２３の運転を制御する。
【００３８】
図６は、本形態を建物頂部の外部に露出する均温機能システムへ応用する構成説明図を示す。
【００３９】
地下水道管１０３は、地層１０２内に埋設され、水道水システムの水流を伝送する。地下水道管１０３は従来の管形構造、または比較的熱エネルギーを有利に伝送する幾何形状構造、及び各種良好な熱伝導材料、例えば金属またはその他熱伝導材料によって構成することができ、流れる水道水を利用して熱エネルギーを伝送し、及び地下水道管１０３本体を利用して、地層の熱エネルギーを伝導する。また地下水道管１０３はニーズによって、均温装置１２２を選択的に連接して設置することにより、地層の温度エネルギーの伝導効果を増進する、
【００４０】
密閉水管１２１は、従来の管形構造または比較的熱エネルギーを有利に伝送する幾何形状及び材料によって構成され、一流路または多流路または特定の弯曲状を呈し、建物１１０頂部の外部に露出する密閉式水流配管に設置する。密閉水管１２１の入口端は地下水道管１０３と連接し、地下水道管１０３の水流を導入してから、再び密閉水管１２１の出口端と接続する地下水道管１０３の別の段を経て、地下水道管１０３まで流れ戻ることにより水流の流路を構成し、水流を利用して、均一な温度を保つ熱エネルギーを伝送する。また密閉水管１２１はニーズによって均温装置１２２を選択的に連接して設置することができ、及び水流をポンピングする流体ポンピング装置１２３を選択的に設置することが可能で、及びニーズによって計量装置２５１と流量制御バルブ２５２を設置することができる。
【００４１】
均温装置１２２は、良好な熱伝導材料によって構成され、その構造形状は熱伝導に有利な幾何形状である。均温装置１２２は、水の流入口と均温装置１２２内部を通過する水流通路と水の流出口を有し、地下水道管１０３または建物１１０頂部の外部に露出する密閉水管１２１に連続的に接続し、通過する水流の熱エネルギーと均温装置１２２の周りの温度エネルギーを均一な温度を保つ熱エネルギーにしてから伝送する、本形態の均温システムは、ニーズによって選択的に設置することができ、地下水道管１０３に連続的に接続し、または建物１１０頂部の外部に露出する密閉水管１２１の二者やその中の一つに連続的に接続し、または設置しないことを選択することができる。
【００４２】
流体ポンピング装置１２３は、均温装置１２２を通過する流体流路に直列に設置し、流体ポンピング装置で生じる圧送力によって、水流のポンピングを利用して、熱エネルギーを伝送する。ポンプは、電力モータ、エンジン動力、その他風エネルギー、熱エネルギー、温度差エネルギー、太陽エネルギーにより形成する機械エネルギーまたは電気エネルギーによって駆動することができる。
【００４３】
制御装置２５０は、メカトロニクスコンポーネントまたは固相電子回路コンポーネント、またはマイクロプロセッサー及び関連ソフトウェア及び制御インターフェースによって構成され、流体ポンピング装置１２３の運転を制御する。
【００４４】
本形態の水道水を利用して均一な温度を保つ均温システムの均温装置１２２は、下記の一種または一種以上の実施方式を選択することができる。
（１）均温装置を地層面に設置し、地下水道管に連接して設置する、
（２）均温装置は地表に近いところに設置し、または地表に露出し、密閉水管に連接して設置する、
（３）地下水道管と密閉水管に均温装置を連接して設置する、
（４）地下水道管と密閉水管に均温装置を設置しない、
（５）均温機能は、また地下水道管や密閉水管本体により、均温装置の機能を取り換わって達成することができ、または地下水道管や密閉水管の管体外部に、別に良好な熱伝導性能を有する構造体を加設することにより、その均温機能を高める。
【００４５】
また全体の効率を高めるために、本形態の水道水利用して均一な温度を保つ均温システムは、その地下水道管と外部に露出し、または地表に近いところの密閉水管の間に、施工環境または機能ニーズに応じて断熱材料を加設し、またはこの段の密閉水管を断熱性材料によって構成されることを選択することができ、熱エネルギーの流失を防ぐ。
【００４６】
本形態の水道水を利用して均一な温度を保つ均温システムの密閉水管と地下水道管との連接関係は、下記の一種または一種以上の連接方式を含む。
（１）密閉水管の入水口を地下水道管の上流側に連接し、出水口を下流側に連接することができる、
（２）密閉水管の入水口を地下水道管の下流側に連接し、出水口を上流側に連接することができる。
【００４７】
本形態の水道水を利用して均一な温度を保つ均温システムの水流をポンピングする流体ポンピング装置は、応用場所とコストと効果と利益に応じて、選択的に設置することができ、水流をポンピングする流体ポンピング装置を設置し、水流を流動するようにポンピングすることにより、熱エネルギーのキャリヤーとする以外に、また温かい空気が上昇し、冷たい空気が下降する対流効果によって、循環水流を構成することができる。または地下水道管の水流の流向の流力を利用して、分流効果の水流を形成し、密閉水管を流れる水流を熱エネルギー伝送流体とし、均一な温度を保つ熱エネルギーを伝送する、
【００４８】
密閉水管を流れる水流は、流体のポンピング装置により直接ポンピングする以外に、その水流の流動の方式は、下記の一つまたは一つ以上の流動方式を含む。
（１）地下水道管の水流の流向を通して、水流を接続している密閉水管の上流の入水口から、正水圧の特定角度を呈すように導入する。例えば地下水道管の水流方向との鋭角＜９０°と呈すことにより、水流が密閉水管に入り易くなり、密閉水管の出水口から、地下水道管の水流の流向と負水圧の特定角度を呈し、例えば９０°より大きい鈍角になって、水流が密閉水管の出水口からの流出に役立ち、地下水道管と合流することにより、分流効果を形成し、密閉水管から流れる分流水流を熱エネルギー伝送流体とし、熱エネルギーを伝送し、かつ流体バルブの制御により、流向を制御する。
（２）ポンプで水流をポンピングし、または温かい空気が上昇し、冷たい空気は下降する効果または分流効果の中一つまたは一つ以上を利用して、水流が閉路水管を流れ、水流を熱エネルギー伝送流体とし、間接的に目的物または目的空間に対して、熱エネルギーを伝送する。
【００４９】
本形態の水道水を利用して均一な温度を保つ均温システムは、同時に密閉水管と給水分岐管を結合し、一部の従来の給水分岐管を共同水管とし、一部の密閉水管と共同構造型密閉水流流路の構成への応用が可能である、その共同構造型密閉水流流路に、流体のポンピング装置を選択的に設置するとき、下記のことが可能である。
（１）流体のポンピング装置を密閉水管に設置する、または
（２）共用水管に流体のポンピング装置を設置する。
【００５０】
本形態の水道水を利用して均一な温度を保つ均温システムは、共同構造型密閉水流流路を採用し、その効果及び利益は少なくとも下記の一つまたは一つ以上を持つ。
（１）相対的に高い熱エネルギーを乗せる水流の流動を利用して、従来の給水分岐管が地表に近いところ及び外部側の露出端の外部温度が低過ぎるために、結氷することを防止する、または
（２）相対的に低い熱エネルギーを乗せる水流の流動を利用して、夏に建物本体または内部温度を下げることができる、または
（３）相対的に高い熱エネルギーを乗せる水流の流動を利用して、寒冬に暖房がなくても、外部環境より高い温度を維持する、倉庫へ応用し、または屋上積雪を融雪させ及び結氷防止へ応用する。
【００５１】
本形態の水道水を利用して均一な温度を保つ均温システムの熱エネルギーの伝送方式は、更に間接的に熱エネルギー伝送構造により構成されることができ、水道水システムの地下または地上の水道水配管に被覆状の均温室構造を設置し、水道水配管内部の水流の熱エネルギーを間接的に被覆状均温気室内部を通して、目的物または目的空間の別の気体や液相流体へ流れ、均温とする目的物または目的空間、または建物、またはその他密閉または半密閉構造内部空間へ流れ、間接的に熱エネルギーの伝導を行う。
【００５２】
図７は、本形態に被覆状の均温室構造を設け、開放式空間に対して、開放式流体圧送システムを作る説明図を示す。
【００５３】
本形態のシステムは、水道水システムの地下水道管１０３の中の一段の周りに被覆状の均温室構造２２０を設置し、被覆状の均温室構造２２０の両端面は密閉を呈し、その近隣の密閉端面の一端に少なくとも一個の流体入口２１８を設け、及び開放式空間の流体配管２２１へ通じ、別端に少なくとも一個の流体出口２１９を設け、及び開放式空間の流体配管２３１へ通じ、気体や液相の流体を流入または流出させ、及びニーズによって計量装置２５１と流量制御バルブ２５２を設置することを含む。上述の流体は温かい空気が上昇し、冷たい空気が下降する効果を利用して対流循環を作り出し、または流体ポンピング装置１２３の設置を利用して、電力モータに駆動され、またはその他機械エネルギーに駆動され、または人力に駆動されることができる。一流動方向のポンピングを採用するとき、被覆状の均温室構造２２０を通過する流体をポンピングし、流体配管２２１を経て、開放式空間へ通じ、開放式空間の流体は流体配管２３１を経て、被覆状の均温室構造２２０まで流れ戻る。
【００５４】
周期的に流向を変更するようにポンピングを採用するとき、その中の一つのポンピング流向は上述のように、別の流向へポンピングするとき、流体が流体配管２３１を経て開放式空間へ通じ、開放式空間の流体は流体配管２２１を経て、被覆状の均温室構造２２０まで流れ戻り、間接的に水道水システムの熱エネルギーを開放式空間へ間接的に熱エネルギーを伝導する。上述の流体配管２２１及び流体配管２３１は、別々に開放式空間へ通じ、流体配管２２１及び流体配管２３１の流体入出口に取り付けるろ過装置１２４は、ニーズによって設置し、または設置しないことを選択することができる。
【００５５】
制御装置２５０は、メカトロニクスコンポーネントまたは固相電子回路コンポーネント、またはマイクロプロセッサー及び関連ソフトウェア及び制御インターフェースによって構成され、流体ポンピング装置１２３の運転を制御する。
【００５６】
図８は、本形態に被覆状の均温室構造を設け、間接的に建物またはその他密閉または半密閉構造の内部空間に対して、開放式流体圧送システムを作る説明図を示す。
【００５７】
本形態のシステムは、水道水システムの地下水道管１０３の中の一段の周りに被覆状の均温室構造２２０を設置し、被覆状の均温室構造２２０の両端面は密閉を呈し、その近隣の密閉端面の一端に少なくとも一個の流体入口２１８を設け、及び建物１１０またはその他密閉または半密閉構造の内部空間の流体配管２２１へ通じ、別端に少なくとも一個の流体出口２１９を設け、及び建物１１０またはその他密閉または半密閉構造の内部空間の流体配管２２１へ通じ、気体や液相の流体を流入または流出させ、及びニーズによって計量装置２５１と流量制御バルブ２５２を設置することを含む。上述の流体は温かい空気が上昇し、冷たい空気が下降する効果を利用して対流循環を作り出し、または流体ポンピング装置１２３の設置を利用して、電力モータに駆動され、またはその他機械エネルギーに駆動され、または人力に駆動されることができる。一流動方向のポンピングを採用するとき、被覆状の均温室構造２２０を通過する流体をポンピングし、流体配管２２１を経て、建物１１０またはその他密閉または半密閉構造の内部空間へ通じ、再び流体配管２３１を経て、被覆状の均温室構造２２０まで流れ戻る。
【００５８】
周期的に流向を変更するようにポンピングを採用するとき、その中の一つのポンピング流向は上述のように、別の流向へポンピングするとき、流体が流体配管２３１を経て建物１１０またはその他密閉または半密閉構造の内部空間へ通じ、再び流体配管２２１を経て、被覆状の均温室構造２２０まで流れ戻り、間接的に水道水システムの熱エネルギーを建物１１０またはその他密閉または半密閉構造の内部空間へ間接的に熱エネルギーを伝導する。上述の流体配管２２１及び流体配管２３１は、別々に建物１１０またはその他密閉または半密閉構造の内部空間へ通じ、流体配管２２１及び流体配管２３１の流体入出口に取り付けるろ過装置１２４は、ニーズによって設置し、または設置しないことを選択することができる。
【００５９】
制御装置２５０は、メカトロニクスコンポーネントまたは固相電子回路コンポーネント、またはマイクロプロセッサー及び関連ソフトウェア及び制御インターフェースによって構成され、流体ポンピング装置１２３の運転を制御する、
【００６０】
図９は、本形態に被覆状の均温室構造を設け、外部から流体を引き入れ、間接的に建物またはその他密閉または半密閉構造の内部空間に対して、開放式流体圧送システムを作る説明図を示す。
【００６１】
本形態のシステムは、水道水システムの地下水道管１０３の中の一段の周りに被覆状の均温室構造２２０を設置し、被覆状の均温室構造２２０の両端面は密閉を呈し、その近隣の密閉端面の一端に少なくとも一個の流体入口２１８を設け、建物の外部空間へ通じる流体配管２２１と接続し、別端に少なくとも一個の流体出口２１９を設け、建物１１０またはその他密閉または半密閉構造の内部空間へ通じる流体配管２３１と接続し、気体や液相の流体を流入または流出させ、及びニーズによって計量装置２５１と流量制御バルブ２５２を設置することを含む。上述の流体は温かい空気が上昇し、冷たい空気が下降する効果を利用して対流循環を作り出し、または流体ポンピング装置１２３の設置を利用して、電力モータに駆動され、またはその他機械エネルギーに駆動され、または人力に駆動されることができる。一流動方向のポンピングを採用するとき、室外の流体または流体配管２２１を通過する流体をポンピングし、及び被覆状の均温室構造２２０を通過してから、再び建物１１０またはその他密閉または半密閉構造の内部空間へ通じる流体配管２３１を経て、間接的に水道水システムの熱エネルギーを建物１１０またはその他密閉または半密閉構造の内部空間へ間接的に熱エネルギーを伝導する。上述の流体配管２２１が室外空間へ通じ、かつ流体配管２３１は建物１１０またはその他密閉または半密閉構造の内部空間へ通じ、流体配管２２１及び流体配管２３１の流体入出口に取り付けるろ過装置１２４は、ニーズによって設置しまたは設置しないことを選択することができる。
【００６２】
制御装置２５０は、メカトロニクスコンポーネントまたは固相電子回路コンポーネント、またはマイクロプロセッサー及び関連ソフトウェア及び制御インターフェースによって構成され、流体ポンピング装置１２３の運転を制御する。
【００６３】
図１０は、本形態に被覆状の均温室構造を設け、間接的に開放式空間対して、密閉式流体循環システムを作る説明図を示す。
【００６４】
本形態のシステムは、水道水システムの地下水道管１０３の中の一段の周りに被覆状の均温室構造２２０を設置し、被覆状の均温室構造２２０の両端面は密閉を呈し、その近隣の密閉端面の一端に少なくとも一個の流体入口２１８を設け、及び開放式空間の流体配管２２１へ通じ、別端に少なくとも一個の流体出口２１９を設け、及び開放式空間の流体配管２３１へ通じ、気体や液相の流体を流入または流出させ、及びニーズによって計量装置２５１と流量制御バルブ２５２を設置することを含む。上述の流体は温かい空気が上昇し、冷たい空気が下降する効果を利用して対流循環を作り出し、または流体ポンピング装置１２３の設置を利用して、電力モータに駆動され、またはその他機械エネルギーに駆動され、または人力に駆動されることができる。一流動方向のポンピングを採用するとき、被覆状の均温室構造２２０を通過する流体をポンピングし、流体配管２２１を経て開放式空間の均温装置１２２へ通じ、再び流体配管２３１を経て、被覆状の均温室構造２２０まで流れ戻る。
【００６５】
周期的に流向を変更するようにポンピングを採用するとき、その中の一つのポンピング流向は上述のように、別の流向へポンピングするとき、流体が流体配管２３１を経て開放式空間の均温装置１２２へ通じ、再び流体配管２２１を経て、被覆状の均温室構造２２０まで流れ戻り、間接的に水道水システムの熱エネルギーを均温装置１２２と開放式空間に経て、間接的に熱エネルギーを伝導する、上述の流体配管２２１及び流体配管２３１は、別々に開放式空間に設置する均温装置１２２へ通じる。
【００６６】
制御装置２５０は、メカトロニクスコンポーネントまたは固相電子回路コンポーネント、またはマイクロプロセッサー及び関連ソフトウェア及び制御インターフェースによって構成され、流体ポンピング装置１２３の運転を制御する。
【００６７】
図１１は、本形態に被覆状の均温室構造を設け、間接的に建物またはその他密閉または半密閉構造の内部空間に対して、密閉式流体循環システムを作る説明図を示す。
【００６８】
本形態のシステムは、水道水システムの地下水道管１０３の中の一段の周りに被覆状の均温室構造２２０を設置し、被覆状の均温室構造２２０の両端面は密閉を呈し、その近隣の密閉端面の一端に少なくとも一個の流体入口２１８を設け、及び建物１１０またはその他密閉または半密閉構造の内部空間の流体配管２２１へ通じ、別端に少なくとも一個の流体出口２１９を設け、及び建物１１０またはその他密閉または半密閉構造の内部空間の流体配管２３１へ通じ、気体や液相の流体を流入または流出させ、及びニーズによって計量装置２５１と流量制御バルブ２５２を設置することを含む。上述の流体は温かい空気が上昇し、冷たい空気が下降する効果を利用して対流循環を作り出し、または流体ポンピング装置１２３の設置を利用して、電力モータに駆動され、またはその他機械エネルギーに駆動され、または人力に駆動されることができる。一流動方向のポンピングを採用するとき、被覆状の均温室構造２２０を通過する流体をポンピングし、流体配管２２１を経て、建物１１０またはその他密閉または半密閉構造の内部空間の均温装置１２２へ通じ、再び流体配管２３１を経て、被覆状の均温室構造２２０まで流れ戻る。
【００６９】
周期的に流向を変更するようにポンピングを採用するとき、その中の一つのポンピング流向は上述のように、別の流向へポンピングするとき、流体が流体配管２３１を経て、建物１１０またはその他密閉または半密閉構造の内部空間の均温装置１２２へ通じ、再び流体配管２２１を経て、被覆状の均温室構造２２０まで流れ戻り、間接的に水道水システムの熱エネルギーを均温装置１２２と建物１１０またはその他密閉または半密閉構造の内部空間に経て、間接的に熱エネルギーを伝導する、上述の流体配管２２１及び流体配管２３１は、別々に建物１１０またはその他密閉または半密閉構造の内部空間に設置する均温装置１２２へ通じる、
【００７０】
制御装置２５０は、メカトロニクスコンポーネントまたは固相電子回路コンポーネント、またはマイクロプロセッサー及び関連ソフトウェア及び制御インターフェースによって構成され、流体ポンピング装置１２３の運転を制御する。
【００７１】
本形態の水道水を利用して均一な温を保つ均温システムは、また地下や地上の水道水配管に熱エネルギー伝導構造を並列に設置することができ、例えば熱伝導のバネ状構造により互いに熱エネルギーを伝送する補助均温配管を通して、目的物または目的空間へ流れる別の気体や液相流体により、間接的に水道水配管内部水流の熱エネルギーを目的物または目的空間へ均一な熱エネルギーを伝送する。
【００７２】
図１２は本形態の水道水管を並列に設置し補助均温配管を設け、間接的に開放式空間に対して、開放式流体圧送システムを作る説明図を示す。
【００７３】
本形態のシステムは、水道水システムの地下水道管１０３の中の一段の周りに、少なくとも一個の互いに熱エネルギーを伝送する補助均温配管２２２を並列に設置し、両者はニーズによって同構造体に作成することができ、互いに構造を連結することにより、熱エネルギーの伝送を有利にする。また、二者の間に熱伝導のバネ状構造２２３、または他の熱伝導体構造、またはヒートパイプ装置を設置し、水道水システムの地下水道管１０３内部水流の熱エネルギーを、補助均温配管２２２内部の流体へ間接的に伝送する。補助均温配管２２２の両端に少なくとも一個の流体入口２１８を設け、及び開放式空間の流体配管２２１へ通じる。別端に少なくとも一個の流体出口２１９を設け、及び開放式空間の流体配管２３１へ通じ、気体や液相の流体を流入や流出させ、ニーズによって計量装置２５１と流量制御バルブ２５２を設置する。上述の流体は温かい空気が上昇し、冷たい空気が下降する効果を利用して対流循環を作り出し、または流体ポンピング装置１２３の設置を通して、電力モータに駆動され、またはその他機械エネルギーに駆動され、または人力に駆動される。一流動方向のポンピングを採用するとき、補助均温配管２２２を通過する流体をポンピングし、流体配管２２１を経て、開放式空間へ通じ、開放式空間の流体が流体配管２３１を経て、補助均温配管２２２へ流れ戻る。
【００７４】
周期的に流向を変更するようにポンピングを採用するとき、その中の一つのポンピング流向は上述のように、別の流向へポンピングし、流体が流体配管２３１を経て、開放式空間へ通じ、開放式空間の流体は流体配管２２１を経て、補助均温配管２２２へ流れ戻り、水道水システムの熱エネルギーを、開放式空間へ間接的に伝導する。上述の流体配管２２１及び流体配管２３１は、別々に開放式空間へ通じ、流体配管２２１及び流体配管２３１の流体入出口に取り付けるろ過装置１２４は、ニーズによって設置し、または設置しないことを選択することができる。
【００７５】
制御装置２５０は、メカトロニクスコンポーネントまたは固相電子回路コンポーネント、またはマイクロプロセッサー及び関連ソフトウェア及び制御インターフェースによって構成され、流体ポンピング装置１２３の運転を制御する。
【００７６】
図１３は本発明の水道水管を並列に設置し補助均温配管を設け、間接的に建物またはその他密閉または半密閉構造の内部空間に対して、開放式流体圧送システムを作る説明図を示す。
【００７７】
本形態のシステムは、水道水システムの地下水道管１０３の中の一段の周りに少なくとも一個の互いに熱エネルギーを伝送する補助均温配管２２２を並列に設置し、両者はニーズによって同構造体に作成することができ、互いに構造を連結することにより、熱エネルギーの伝送を有利にする。また、二者の間に熱伝導のバネ状構造２２３、または他の熱伝導体構造、またはヒートパイプ装置を設置し、水道水システムの地下水道管１０３内部水流の熱エネルギーを、補助均温配管２２２内部の流体へ伝送する。補助均温配管２２２の両端に少なくとも一個の流体入口２１８を設け、及び建物１１０またはその他密閉または半密閉構造の内部空間の流体配管２２１へ通じる。別端に少なくとも一個の流体出口２１９を設け、及び建物１１０またはその他密閉または半密閉構造の内部空間の流体配管２３１へ通じ、気体や液相の流体を流入や流出させ、ニーズによって計量装置２５１と流量制御バルブ２５２を設置する、上述の流体は温かい空気が上昇し、冷たい空気が下降する効果を利用して対流循環を作り出し、または流体ポンピング装置１２３の設置を通して、電力モータに駆動され、またはその他機械エネルギーに駆動され、または人力に駆動される。一流動方向のポンピングを採用するとき、補助均温配管２２２を通過する流体をポンピングし、流体配管２２１を経て、建物１１０またはその他密閉または半密閉構造の内部空間へ通じ、再び流体配管２３１を経て補助均温配管２２２へ流れ戻り。
【００７８】
周期的に流向を変更するようにポンピングを採用するとき、その中の一つのポンピング流向は上述のように、別の流向へポンピングし、流体が流体配管２３１を経て、建物１１０またはその他密閉または半密閉構造の内部空間へ通じ、再び流体配管２２１を経て補助均温配管２２２へ流れ戻り、水道水システムの熱エネルギーを、建物１１０またはその他密閉または半密閉構造の内部空間へ間接的に伝導する、上述の流体配管２２１及び流体配管２３１は、別々に建物１１０またはその他密閉または半密閉構造の内部空間へ通じ、流体配管２２１及び流体配管２３１の流体入出口に取り付けるろ過装置１２４は、ニーズによって設置し、または設置しないことを選択することができる。
【００７９】
制御装置２５０は、メカトロニクスコンポーネントまたは固相電子回路コンポーネント、またはマイクロプロセッサー及び関連ソフトウェア及び制御インターフェースによって構成され、流体ポンピング装置１２３の運転を制御する。
【００８０】
図１４は、本発明の水道水管を並列に設置し補助均温配管を設け、外部から流体を引き入れ、間接的に建物またはその他密閉または半密閉構造の内部空間に対して、開放式流体圧送システムを作る説明図を示す。
【００８１】
本形態のシステムは、水道水システムの地下水道管１０３の中の一段の周りに少なくとも一個の互いに熱エネルギーを伝送する補助均温配管２２２を並列に設置し、二者はニーズによって同構造体に作成することができ、互いに構造を連結することにより、熱エネルギーの伝送を有利にする。また、二者の間に熱伝導のバネ状構造２２３、または他の熱伝導体構造、またはヒートパイプ装置を設置し、水道水システムの地下水道管１０３内部水流の熱エネルギーを、補助均温配管２２２内部の流体へ伝送する。補助均温配管２２２の一端に少なくとも一個の流体入口２１８を設け、流体配管２２１を室外空間に出し、別端に少なくとも一個の流体出口２１９を設け、及び建物１１０またはその他密閉または半密閉構造の内部空間の流体配管２３１へ通じ、気体や液相の流体を流通させ、ニーズによって計量装置２５１と流量制御バルブ２５２を設置する、上述の流体は温かい空気が上昇し、冷たい空気が下降する効果を利用して対流循環を作り出し、または流体ポンピング装置１２３の設置を通して、電力モータに駆動され、またはその他機械エネルギーに駆動され、または人力に駆動される。一流動方向のポンピングを採用するとき、室外流体配管２２１を経て、補助均温配管２２２を通過する流体をポンピングしてから、再び流体配管２３１を経て建物１１０またはその他密閉または半密閉構造の内部空間へ通じ、間接的に水道水システムの熱エネルギーを建物１１０またはその他密閉または半密閉構造の内部空間へ伝導する、上述の流体配管２２１を室外空間へ出し、かつ流体配管２３１は、建物１１０またはその他密閉または半密閉構造の内部空間へ通じ、流体配管２２１及び流体配管２３１の流体入出口に取り付けるろ過装置１２４は、ニーズによって設置し、または設置しないことを選択することができる。
【００８２】
制御装置２５０は、メカトロニクスコンポーネントまたは固相電子回路コンポーネント、またはマイクロプロセッサー及び関連ソフトウェア及び制御インターフェースによって構成され、流体ポンピング装置１２３の運転を制御する。
【００８３】
図１５は、本発明の水道水管を並列に設置し補助均温配管を設け、間接的に開放式空間に対して、密閉式流体循環システムを作る説明図を示す。
【００８４】
本形態のシステムは、水道水システムの地下水道管１０３の中の一段の周りに少なくとも一個の互いに熱エネルギーを伝送する補助均温配管２２２を並列に設置し、二者はニーズによって同構造体に作成することができ、互いに構造を連結することにより、熱エネルギーの伝送を有利にする。また、二者の間に熱伝導のバネ状構造２２３、または他の熱伝導体構造、またはヒートパイプ装置を設置し、水道水システムの地下水道管１０３内部水流の熱エネルギーを補助均温配管２２２内部の流体へ伝送する。補助均温配管２２２の両端に少なくとも一個の流体入口２１８を設け、及び開放式空間の流体配管２２１へ通じる。別端に少なくとも一個の流体出口２１９を設け、及び開放式空間の流体配管２３１へ通じ、気体や液相の流体を流入や流出させ、ニーズによって計量装置２５１と流量制御バルブ２５２を設置する、上述の流体は温かい空気が上昇し、冷たい空気が下降する効果を利用して対流循環を作り出し、または流体ポンピング装置１２３の設置を通して、電力モータに駆動され、またはその他機械エネルギーに駆動され、または人力に駆動される。一流動方向のポンピングを採用するとき、補助均温配管２２２を通過する流体をポンピングし、流体配管２２１を経て、開放式空間の均温装置１２２へ通じ、再び流体配管２３１を経て、補助均温配管２２２へ流れ戻る。
【００８５】
周期的に流向を変更するようにポンピングを採用するとき、その中の一つのポンピング流向は上述のように、別の流向へポンピングし、流体が流体配管２３１を経て、開放式空間の均温装置１２２へ通じ、再び流体配管２２１を経て、補助均温配管２２２へ流れ戻り、水道水システムの熱エネルギーを均温装置１２２と開放式空間に経て、間接的に伝導する。上述の流体配管２２１及び流体配管２３１は、別々に標的物の開放式空間に設置する均温装置１２２へ通じる。
【００８６】
制御装置２５０は、メカトロニクスコンポーネントまたは固相電子回路コンポーネント、またはマイクロプロセッサー及び関連ソフトウェア及び制御インターフェースによって構成され、流体ポンピング装置１２３の運転を制御する。
【００８７】
図１６は、本形態の水道水管を並列に設置し補助均温配管を設け、間接的に建物またはその他密閉または半密閉構造の内部空間に対して、密閉式流体循環システムを作る説明図を示す。
【００８８】
本形態のシステムは、水道水システムの地下水道管１０３の中の一段の周りに少なくとも一個の互いに熱エネルギーを伝送する補助均温配管２２２を並列に設置し、二者はニーズによって同構造体に作成することができ、互いに構造を連結することにより、熱エネルギーの伝送を有利にする。また、二者の間に熱伝導のバネ状構造２２３、または他の熱伝導体構造、またはヒートパイプ装置を設置し、水道水システムの地下水道管１０３内部水流の熱エネルギーを補助均温配管２２２内部の流体へ伝送する。補助均温配管２２２の両端に少なくとも一個の流体入口２１８を設け、及び建物１１０またはその他密閉または半密閉構造の内部空間の流体配管２２１へ通じ、別端に少なくとも一個の流体出口２１９を設け、及び建物１１０またはその他密閉または半密閉構造の内部空間の流体配管２３１へ通じ、気体や液相の流体を流入や流出させ、ニーズによって計量装置２５１と流量制御バルブ２５２を設置する、上述の流体は温かい空気が上昇し、冷たい空気が下降する効果を利用して対流循環を作り出し、または流体ポンピング装置１２３の設置を通して、電力モータに駆動され、またはその他機械エネルギーに駆動され、または人力に駆動される。一流動方向のポンピングを採用するとき、補助均温配管２２２を通過する流体をポンピングし、流体配管２２１を経て、建物１１０またはその他密閉または半密閉構造の内部空間の均温装置１２２へ通じる。周期的に流向を変更するようにポンピングを採用するとき、その中の一つのポンピング流向は上述のように、別の流向へポンピングし、流体が流体配管２３１を経て、補助均温配管２２２へ流れ戻り、または流体配管２３１へ通じる建物１１０またはその他密閉または半密閉構造の内部空間の均温装置１２２を経て、再び流体配管２２１を経て補助均温配管２２２へ流れ戻り、水道水システムの熱エネルギーを均温装置１２２と建物１１０またはその他密閉または半密閉構造の内部空間に経て、間接的に伝導する、上述の流体配管２２１及び流体配管２３１は、別々に建物１１０またはその他密閉または半密閉構造の内部空間に設置する均温装置１２２へ通じる。
【００８９】
制御装置２５０は、メカトロニクスコンポーネントまたは固相電子回路コンポーネント、またはマイクロプロセッサー及び関連ソフトウェア及び制御インターフェースによって構成され、流体ポンピング装置１２３の運転を制御する。
【００９０】
本項の水道水の熱エネルギーを通して均一な温度に保つ方法と装置は、また地下やは地上の水道水管内部に螺旋状隔離構造を持つ被覆状の均温室構造を設置することができ、標的物または標的空間へ通じる別の気体や液相流体が流れ、間接的に水道水管内部水流の熱エネルギーを標的物または標的空間へ均一な熱を伝送する。
【００９１】
図１７は本形態に内部に螺旋状隔離構造を持つ被覆状の均温室構造を設置し、開放式空間に対して、開放式流体圧送システムを作る説明図を示す。
【００９２】
本形態のシステムは、水道水システムの地下水道管１０３の中の一段の周り内部に螺旋状隔離構造を持つ被覆状の均温室構造２４０を設置し、内部に螺旋状隔離構造を持つ被覆状の均温室構造２４０の両端面は密閉を呈し、その近隣の密閉端面の一端に少なくとも一個の流体入口２１８を設け、開放式空間の流体配管２２１へ通じる。別端に少なくとも一個の流体出口２１９を設け、及び開放式空間の流体配管２３１へ通じ、気体や液相の流体を流入や流出させ、及びニーズによって計量装置２５１と流量制御バルブ２５２を設置する、上述の流体は温かい空気が上昇し、冷たい空気が下降する効果を利用して対流循環を作り出し、または流体ポンピング装置１２３の設置を通して、電力モータに駆動され、またはその他機械エネルギーに駆動され、または人力に駆動される。一流動方向のポンピングを採用するとき、内部に螺旋状隔離構造を持つ被覆状の均温室構造２４０を通過する流体をポンピングし、流体配管２２１を経て、開放式空間へ通じ、開放式空間の流体は流体配管２３１を経て、内部に螺旋状隔離構造を持つ被覆状の均温室構造２４０へ流れ戻り、周期的に流向を変更するようにポンピングを採用するとき、その中の一つのポンピング流向は上述のように、別の流向へポンピングするとき、流体が流体配管２３１を経て、開放式空間へ通じ、開放式空間の流体が流体配管２２１を経て、内部に螺旋状隔離構造を持つ被覆状の均温室構造２４０へ流れ戻り、水道水システムの熱エネルギーを開放式空間へ間接的に伝導する、上述の流体配管２２１及び流体配管２３１は、別々に開放式空間へ通じ、流体配管２２１及び流体配管２３１の流体入出口に取り付けるろ過装置１２４は、ニーズによって設置し、または設置しないことを選択することができる。
【００９３】
制御装置２５０はメカトロニクスコンポーネントまたは固相電子回路コンポーネント、またはマイクロプロセッサー及び関連ソフトウェア及び制御インターフェースによって構成され、流体ポンピング装置１２３の運転を制御する。
【００９４】
図１８は本形態に内部に螺旋状隔離構造を持つ被覆状の均温室構造を設置し、間接的に建物またはその他密閉または半密閉構造の内部空間に対して、開放式流体圧送システムを作る説明図を示す。
【００９５】
水道水システムの地下水道管１０３の中の一段の周り内部に螺旋状隔離構造を持つ被覆状の均温室構造２４０を設置し、内部に螺旋状隔離構造を持つ被覆状の均温室構造２４０の両端面は密閉を呈し、その近隣の密閉端面の一端に少なくとも一個の流体入口２１８を設け、及び建物１１０またはその他密閉または半密閉構造の内部空間の流体配管２２１へ通じる。別端に少なくとも一個の流体出口２１９を設け、及び建物１１０またはその他密閉または半密閉構造の内部空間の流体配管２３１へ通じる、気体や液体の流体を流入や流出させ、及びニーズによって計量装置２５１と流量制御バルブ２５２を設置する。上述の流体は温かい空気が上昇し、冷たい空気が下降する効果を利用して対流循環を作り、または流体ポンピング装置１２３の設置を通して、電力モータに駆動され、またはその他機械エネルギーに駆動され、または人力に駆動される。一流動方向のポンピングを採用するとき、内部に螺旋状隔離構造を持つ被覆状の均温室構造２４０を通過する流体をポンピングし、流体配管２２１を経て、建物１１０またはその他密閉または半密閉構造の内部空間へ通じ、再び流体配管２３１を経て、内部に螺旋状隔離構造を持つ被覆状の均温室構造２４０へ流れ戻り、周期的に流向を変更するようにポンピングを採用するとき、その中の一つのポンピング流向は上述のように、別の流向へポンピングするとき、流体が流体配管２３１を経て、建物１１０またはその他密閉または半密閉構造の内部空間へ通じ、再び流体配管２２１を経て、内部に螺旋状隔離構造を持つ被覆状の均温室構造２４０へ流れ戻り、水道水システムの熱エネルギーを建物１１０またはその他密閉または半密閉構造の内部空間へ間接的に伝導する。上述の流体配管２２１及び流体配管２３１は、別々に建物１１０またはその他密閉または半密閉構造の内部空間へ通じ、流体配管２２１及び流体配管２３１の流体入出口に取り付けるろ過装置１２４は、ニーズによって設置し、または設置しないことを選択することができる。
【００９６】
制御装置２５０はメカトロニクスコンポーネントまたは固相電子回路コンポーネント、またはマイクロプロセッサー及び関連ソフトウェア及び制御インターフェースによって構成され、流体ポンピング装置１２３の運転を制御する。
【００９７】
図１９は、本形態の内部に螺旋状隔離構造を持つ被覆状の均温室構造を設置し、外部から流体を引き入れ、間接的に建物またはその他密閉または半密閉構造の内部空間に対して、開放式流体圧送システムを作る説明図を示す。
【００９８】
水道水システムの地下水道管１０３の中の一段の周り内部に螺旋状隔離構造を持つ被覆状の均温室構造２４０が設置され、内部に螺旋状隔離構造を持つ被覆状の均温室構造２４０の両端面は密閉を呈し、その近隣の密閉端面の一端に少なくとも一個の流体入口２１８が設けられ、建物の外部空間へ通じる流体配管２２１と接続し、別端に少なくとも一個の流体出口２１９を設け、建物１１０またはその他の密閉または半密閉構造の内部空間へ通じる流体配管２３１と接続し、気体や液体の流体を流入や流出させ、及びニーズによって計量装置２５１と流量制御バルブ２５２を設置する。上述の流体は温かい空気が上昇し、冷たい空気が下降する効果を通して対流循環を作り、または流体ポンピング装置１２３の設置を利用して、電力モータに駆動され、またはその他機械エネルギーに駆動され、または人力に駆動される。一流動方向のポンピングを採用するとき、室外の流体または流体配管２２１を経てポンピングし、及び内部に螺旋状隔離構造を持つ被覆状の均温室構造２４０を通過してから、再び流体配管２３１を経て、建物１１０またはその他の密閉または半密閉構造の内部空間へ通じる。よって水道水システムの熱エネルギーを建物１１０またはその他密閉または半密閉構造の内部空間へ間接的に伝導する。上述の流体配管２２１は室外空間へ通じ、かつ流体配管２３１は建物１１０またはその他の密閉または半密閉構造の内部空間へ通じる。流体配管２２１及び流体配管２３１の流体入出口に取り付けるろ過装置１２４は、ニーズによって設置し、または設置しないことを選択することができる。
【００９９】
制御装置２５０は、メカトロニクスコンポーネントまたは固相電子回路コンポーネント、またはマイクロプロセッサー及び関連ソフトウェア及び制御インターフェースによって構成され、流体ポンピング装置１２３の運転を制御する。
【０１００】
図２０は、本形態に内部に螺旋状隔離構造を持つ被覆状の均温室構造を設置し、間接的に開放式空間に対して、密閉式流体循環システムを作る説明図を示す。
【０１０１】
水道水システムの地下水道管１０３の中の一段の周り内部に螺旋状隔離構造を持つ被覆状の均温室構造２４０が設置され、内部に螺旋状隔離構造を持つ被覆状の均温室構造２４０の両端面は密閉を呈し、その近隣の密閉端面の一端に少なくとも一個の流体入口２１８が設けられ、開放式空間の流体配管２２１へ通じる。別端に少なくとも一個の流体出口２１９が設けられ、開放式空間の流体配管２３１へ通じ、気体や液体の流体を流入や流出させ、ニーズによって計量装置２５１と流量制御バルブ２５２を設置する。上述の流体は温かい空気が上昇し、冷たい空気が下降する効果を利用して対流循環を作り出し、または流体ポンピング装置１２３の設置を利用して、電力モータに駆動され、またはその他機械エネルギーに駆動され、または人力に駆動される。一流動方向のポンピングを採用するとき、内部に螺旋状隔離構造を持つ被覆状の均温室構造２４０を通過する流体をポンピングし、流体配管２２１を経て、開放式空間の均温装置１２２へ通じ、再び流体配管２３１を経て、内部に螺旋状隔離構造を持つ被覆状の均温室構造２４０へ流れ戻る。周期的に流向を変更するようにポンピングを採用するとき、その中の一つのポンピング流向は上述のように、別の流向へポンピングするとき、流体が流体配管２３１を経て、開放式空間の均温装置１２２へ通じ、再び流体配管２２１を経て、内部に螺旋状隔離構造を持つ被覆状の均温室構造２４０へ流れ戻り、水道水システムの熱エネルギーを均温装置１２２と開放式空間に経て、間接的に伝導する。上述の流体配管２２１及び流体配管２３１は、別々に開放式空間に設置する均温装置１２２へ通じる。
【０１０２】
制御装置２５０は、メカトロニクスコンポーネントまたは固相電子回路コンポーネント、またはマイクロプロセッサー及び関連ソフトウェア及び制御インターフェースによって構成され、流体ポンピング装置１２３の運転を制御する。
【０１０３】
図２１は、本形態の内部に螺旋状隔離構造を持つ被覆状の均温室構造を設置し、間接的に建物またはその他密閉または半密閉構造の内部空間に対して、密閉式流体循環システムを作る説明図を示す。
【０１０４】
水道水システムの地下水道管１０３の中の一段の周り内部に螺旋状隔離構造を持つ被覆状の均温室構造２４０が設置され、内部に螺旋状隔離構造を持つ被覆状の均温室構造２４０の両端面は密閉を呈し、その近隣の密閉端面の一端に少なくとも一個の流体入口２１８が設けられ、建物１１０またはその他の密閉または半密閉構造の内部空間の流体配管２２１へ通じる。別端に少なくとも一個の流体出口２１９が設けられ、建物１１０またはその他密閉または半密閉構造の内部空間の流体配管２３１へ通じる。気体や液体の流体を流入や流出させ、及びニーズによって計量装置２５１と流量制御バルブ２５２を設置する。上述の流体は温かい空気が上昇し、冷たい空気が下降する効果を利用して対流循環を作り出し、または流体ポンピング装置１２３の設置を利用して、電力モータに駆動され、またはその他機械エネルギーに駆動され、または人力に駆動される。一流動方向のポンピングを採用するとき、内部に螺旋状隔離構造を持つ被覆状の均温室構造２４０を通過する流体をポンピングし、流体配管２２１を経て、建物１１０またはその他密閉または半密閉構造の内部空間の均温装置１２２へ通じ、再び流体配管２３１を経て、内部に螺旋状隔離構造を持つ被覆状の均温室構造２４０へ流れ戻る。周期的に流向を変更するようにポンピングを採用するとき、その中の一つのポンピング流向は上述のように、別の流向へポンピングするとき、流体が流体配管２３１を経て、建物１１０またはその他密閉または半密閉構造の内部空間の均温装置１２２へ通じ、再び流体配管２２１を経て、内部に螺旋状隔離構造を持つ被覆状の均温室構造２４０へ流れ戻り、水道水システムの熱エネルギーを均温装置１２２と建物１１０またはその他密閉または半密閉構造の内部空間に経て、間接的に熱エネルギーを伝導する。上述の流体配管２２１及び流体配管２３１は、別々に建物１１０またはその他密閉または半密閉構造の内部空間に設置する均温装置１２２へ通じる。
【０１０５】
制御装置２５０は、メカトロニクスコンポーネントまたは固相電子回路コンポーネント、またはマイクロプロセッサー及び関連ソフトウェア及び制御インターフェースによって構成され、流体ポンピング装置１２３の運転を制御する。
【０１０６】
本発明の各実施例に述べる流体ポンピング装置１２３は、一方向に圧送する流体ポンピング装置または二方向に圧送する流体ポンピング装置の中の一種によって構成されることができる。その中で、一方向に圧送する流体ポンピング装置１２３を設置し、設置方式は均温装置１２２を通過する流体流路に直列に接続し、そのポンピング方向は、地下水道管１０３内の水道水の流向と同じまたは逆になることができる。
【０１０７】
正方向及び逆方向に圧送する流体ポンピング装置１２３を設置し、均温装置１２２を通過する流路に直列に連接し、
（１）二方向にポンピングする流体ポンプを採用し、熱エネルギー流体をポンプイン及びポンプアウトし、制御装置２５０の制御を利用して、周期的に正方向または逆方向へ作動することにより、熱エネルギー流体の流向を周期的に変更し、
（２）二個の異なるポンピング流向を示す一方向ポンプを直列に連接することによって構成され、かつ一方向バルブを別々に逆方向に並列に連接し、制御装置２５０の制御を通して、交替して周期的にポンピングすることにより、熱エネルギー流体の流向を周期的に変更し、
（３）二個の異なるポンピング流向を示す一方向ポンプを並列に連接することによって構成され、かつ制御装置２５０の制御を利用して、周期的に交替してポンピングすることにより、熱エネルギー流体の流向を周期的に変更する。もしポンプに静的な逆流抵抗性がない場合、一方向バルブを別々に直列に連接することにより逆流を防ぎ、かつ二個の異なるポンピング方向のポンプが交替して周期的にポンピングし、熱エネルギー流体の流向を周期的に変更すし、または
（４）一方向ポンプと四個のブリッジ式の組成を示す開閉制御ができる流体バルブによって構成され、一方向ポンプ作動中、制御装置２５０の制御を利用して、その中の二流体バルブが交替して、オープン（ｏｐｅｎ）、他セットの二個の流体バルブがクローズ（ｃｌｏｓｅ）するように制御し、熱エネルギー流体の流向を周期的に変更する。
【０１０８】
周期的に変更する時機は、（１）熱エネルギー流体の流向変更周期の時間を開ループ制御するようにプリセットする、または（２）熱エネルギー流体の設定と熱エネルギーが制御される目的との間の温度差値の測定に基づいて、熱エネルギー流体の流向変更周期の時機の閉ループ制御を制御する。
【０１０９】
熱エネルギーが制御される目的である熱エネルギー流体の流向を周期的に変更することに基づいて、熱エネルギー流体と熱エネルギーが制御される目的間の温度差の分布状態を制御する。
【０１１０】
本発明では、給水の水流または熱エネルギーを持つ液体や気体流体が通過する配管の熱伝導性のある外部に、少なくとも二個の熱伝導性を有する流体出入口の中空被覆体を設置し、中空被覆体は熱伝導性の流体を通過する気体や液体により、被覆式配管の流体間の熱エネルギー伝送装置を構成し、流体の熱エネルギーを中空被覆体の熱伝導性流体まで伝導する。かつ更に各種の蓄温機能を持つ熱エネルギーの気体や液体の流体への応用が可能であり、被覆式配管の流体間の熱エネルギー伝送装置の中の配管を利用して、かつ配管外部と被覆体の間を通る気体や液体の流体に対して、熱エネルギーを伝送する、
【０１１１】
図２２は本形態の水道水の熱エネルギーを通して均一な温度に保つ方法と装置は、被覆式配管の流体間に熱エネルギー伝送装置が採用する立体構造説明図を示す。図２２及び図２３に示す構造は、本発明の水道水を利用して均一な温度を保つ均温システムの構造であり、被覆式配管の流体間に熱エネルギー伝送装置を採用し、少なくとも一個の流体入口及び少なくとも一個出口が設けられ、給水を通過させる水流または熱エネルギーを有する液体や気体流体の熱伝導性を持つ配管の外部に、中空被覆体を設置し、中空被覆体の内部空間は熱伝導性流体を通過させ、少なくとも二個の熱伝導性流体出入口を設け、熱伝導性流体を通過させる以外に、残りは中空密閉構造を呈し、かつ配管外部に被覆する。
【０１１２】
配管３００は、直線、曲線、円状、螺旋状、または、選定する幾何形状の管状構造を呈し、その上に少なくとも一個の流体入口３０１及び少なくとも一個の流体出口３０１’が設けられ、給水の水流または熱エネルギーを有する液流や気流を通過させ、かつ熱伝導性材料により作成する配管外部を経て、中空被覆体３０２内部の熱伝導性流体に対して熱エネルギーを伝送する。被覆される配管３００の数量はニーズによって選定することができる、
【０１１３】
中空被覆体３０２は、配管外部を被覆し、熱伝導性材料または非熱伝導性材料により作成することができ、中空被覆体の内部空間３０５は熱伝導性流体を通過させ、少なくとも二個の熱伝導性流体出入口を設け、熱伝導性流体を通過させ、熱伝導性流体を送り込んだりまたは送り出したりする以外に、残りは中空密閉構造を呈し、かつ配管外部に被覆する。本形態の中空被覆体３０２の数量はニーズによって選定することができる、
【０１１４】
熱伝導性流体出入口３０３、３０４は、外部に対して熱伝導性流体を送り出したりまたは送り込んだりする。中空被覆体３０２内部の熱伝導性流体は、配管３００内部からの熱エネルギーを有する液体や気体流体の熱エネルギーを受け、外部の目的物まで伝導する。本項の熱伝導性流体出入口３０３、３０４の数量はニーズによって選定することができる。
【０１１５】
中空被覆体の内部空間３０５は、中空被覆体３０２と配管３００の外部との間に空間を形成し、熱伝導性流体を通過させる。
【０１１６】
また配管３００を通過する給水流体または熱エネルギーを有する液体や気体流体の熱エネルギーを中空被覆体の中の熱伝導性流体への伝送効果を高めるために、更に前述の配管３００の中空被覆体３０２に被覆される外部と熱伝導性流体が接触する部分に、熱伝導バネ構造３０６を増設し、熱伝導面積を増加させることにより、熱伝導性流体熱エネルギーの伝送を高める。かつ中空被覆体３０２の内部は、ニーズによって、熱伝導バネ３０６を設置し、または設置しないを選択することができる。
【０１１７】
図２４は、本発明の配管が中空被覆体に被覆される外部と熱伝導性流体が接触している部分に、熱伝導バネ構造を増設する構造説明図を示す。図２５は図２４の断面図を示す。      
【０１１８】
本形態の水道水を利用して均一な温度を保つ均温システムは、被覆式配管の流体間に熱エネルギー伝送装置が採用する構造方式は、（１）鋳造または溶接によって全体構造に作成するか、（２）組立構造で作成する。
【０１１９】
上述の水道水を利用して均一な温度を保つ均温システムは、被覆式配管の流体間に熱エネルギー伝送装置が採用する全体構造またはその中の配管の構造部分の材料は、熱伝導性材料、例えば銑鉄、アルミ、銅、ステンレスによって構成され、熱エネルギーの伝送を有利にする。
【０１２０】
本形態の水道水を利用して均一な温度を保つ均温システムは、被覆式配管の流体間に熱エネルギー伝送装置を採用し、各種貯温体の熱エネルギーが目的物または目的空間での熱エネルギーの伝送への応用が可能である。実際に応用するとき、被覆される配管は一個または一個以上、かつ配管に被覆される中空被覆体も一個または一個以上であることが可能である。
【０１２１】
本形態の被覆式配管の流体の間の熱エネルギー伝送装置は、
（１）熱エネルギーを有する気体や液体の流体が通過する配管へ応用し、かつ管体が伝導する熱エネルギーを利用して、均一な温度にされる目的空間または目的物へ通じる気体や液体流体に対して、均一な熱を伝送する、
（２）逆方向に外部から熱エネルギーを有する気体や液体流体を送り込むことへ応用し、かつ管体の熱エネルギーを経て、配管内の気体や液体流体に対して、均一な熱を伝導する。
【０１２２】
図２６は本発明の中空被覆体に被覆される配管は二個である説明図を示す。図２７は図２６の断面図を示す。
本形態の水道水を利用して均一な温度を保つ方法と装置は、被覆式配管の流体間に熱エネルギー伝送装置を採用し、配管及び中空被覆体３０２間の流体の熱エネルギーの伝送へ応用する以外に、下記への応用もできる。
（１）熱エネルギーを有する気体や液体の流体通過配管３００へ応用し、中空被覆体３０２内部の気体や液体流体に対して、熱エネルギーを伝導する、
（２）逆方向に外部を経て熱伝導性の流体出入口３０３、３０４に対して、中空被覆体３０２へ送り込む熱エネルギーを有する気体や液体流体に対して、配管３００内の気体や液体流体の熱エネルギーを伝送する。
【０１２３】
本形態では、一種の伝導式配管の流体間の熱エネルギー伝送装置により、流体に対して流体間に均一な熱を伝導することができる。本形態の伝導配管の流体間の熱エネルギー伝送装置は、少なくとも一個の第一配管及び少なくとも一個の第二配管を有し、第一配管と第二配管を別々に設置し、かつ第一配管と第二配管の間に熱伝導構造が設けられ、第一配管は給水の水流または熱エネルギーを有する液体や気体の流体を通過させ、第二配管も水流またはその他液体や気体の熱伝導性流体を通過させ、かつ熱伝導構造を利用して、第一配管中の給水の水流またはその他の液体や気体流体の熱エネルギーと第二配管中の気体や液体流体に対して、均一な温度に保つ熱エネルギーを伝送する。かつ更に各種の蓄温機能を持つ熱エネルギーの気体や液体は、流体への応用が可能であり、伝導式配管の流体間の熱エネルギー伝送装置中の第一配管を流れ、かつ熱伝導構造により流れる第二配管の気体や液体の流体に対して、エネルギーを伝送する。
図２８に本発明の水道水を利用して均一な温度を保つ均温システムは、伝導式配管の流体間に熱エネルギー伝送装置が採用する立体構造説明図を述べる。図２９は図２８の断面図を示す。
【０１２４】
図２８及び図２９に示す構造は、本形態の水道水を利用して均一な温度を保つ均温システムの構造であり、伝導式配管の流体間に熱エネルギー伝送装置が採用される。
【０１２５】
第一配管４００は、直線、曲線、円状、螺旋状、または、選定する幾何形状の管状構造を呈し、その上に少なくとも一個の流体入口４０１及び少なくとも一個の流体出口４０１’が設けられ、給水の水流または熱エネルギーを有する気体や液相の流体を通過させ、かつ熱伝導性材料により作成する配管外部と熱伝導構造３０００を経て、及び熱伝導性材料により作成する第二配管外部を経て、その内部の水流または液相や気体の熱伝導性流体に対して、熱エネルギーを伝送する。第一配管４００の数量は、ニーズによって選定することができる。
【０１２６】
第二配管５００は、直線、曲線、円状、螺旋状、または、選定する幾何形状の管状構造を呈し、その上に少なくとも二個の熱伝導性の流体出入口４０３、４０４が設けられ、給水の水流または熱エネルギーを有する気体や液相の流体を通過させ、かつ第二配管５００本体は熱伝導性材料により作成する配管外部と熱伝導構造３０００を経て、及び熱伝導性材料により作成する第一配管外部を経て、第一配管４００内部の水流または液相や気体熱伝導性流体に対して、熱エネルギーを伝送する。第二配管５００の数量は、ニーズによって選定することができる、
【０１２７】
熱伝導構造３０００は、良好な熱伝導性材料によって構成され、第一配管４００及び第二配管５００を連接し、第一配管４００を通過する給水の水流または熱エネルギーを有する気体や液体流体の熱エネルギーは、第一配管４００の熱伝導外部及び熱伝導構造３０００を経て、第二配管５００の熱伝導外部を経て、第二配管５００内部の水流または気体や液体流体へ伝送する、
【０１２８】
熱伝導性流体出入口４０３、４０４は、外部に対して水流または熱エネルギーを有する液相や気体の熱伝導性流体を送り出したりまたは送り込んだりし、第二配管５００内部の熱伝導性流体が、第一配管４００内部の給水の水流または熱エネルギーを有する液体や気体流体から受けた熱エネルギーを外部の目的物まで伝送する。または外部に対して、熱エネルギーを放出する。本形態の熱伝導性流体出入口４０３、４０４の数量はニーズによって選定する。
【０１２９】
また第一配管４００を通過する給水流体または熱エネルギーを有する液体や気体流体の熱エネルギーが、第二配管５００の中の熱伝導性流体への伝送効果を高めるために、更に前述の第一配管４００内部に近隣する熱伝導構造３０００の位置、及び第二配管５００内部に近隣する熱伝導構造３０００の位置に、内部熱伝導バネ４０６を増設し、熱伝導面積を増加させることにより、第一配管４００内部を通過する給水の水流または熱エネルギーを有する気体や液体流体の熱エネルギーが第一配管４００内部の熱伝導バネ４０６及び本体熱伝導性配管外部、及び熱伝導構造３０００と第二配管５００の熱伝導性配管外部を経て、第二配管５００内部の水流または気体や液体の熱伝導性流体に対して、均一な温度に保つ熱エネルギーを伝送する。
【０１３０】
図３０に本形態の第一配管と第二配管に近隣する熱伝導構造の内部に、熱伝導バネを増設する構造説明図を示す。図３１は図３０の断面図を示す。
【０１３１】
本形態の水道水を利用して均一な温度を保つ均温システムは、伝導式配管の流体間に熱エネルギー伝送装置が採用される構造方式は、（１）鋳造または溶接によって全体構造を作成する、（２）組立構造を作成する。
【０１３２】
上述の水道水を利用して均一な温度を保つ均温システムは、伝導式配管の流体間に熱エネルギー伝送装置が採用する全体構造の材料は、熱伝導性を有する材料、例えば銑鉄、アルミ、銅、ステンレスによって構成され、熱エネルギーの伝送を高める。
【０１３３】
本形態の水道水を利用して均一な温度を保つ均温システムは、伝導式配管の流体間に熱エネルギー伝送装置を採用し、各種貯温体の熱エネルギーが目的物または目的空間に対して、熱エネルギーの伝送への応用が可能である。実際に応用するとき、その第一配管４００は一個または一個以上であり、熱伝導構造３０００を経て、第一配管４００と第二配管５００とを連接するとき、一個または一個以上であることが可能である。
【０１３４】
本形態の伝導式配管の流体間の熱エネルギー伝送装置は、  （１）熱エネルギーを有する気体や液体の流体が通過する配管へ応用し、かつ管体が伝導する熱エネルギーを利用して、目的空間または目的物へ通じる気体や液体流体に対して、熱を伝送する、
（２）逆方向に外部から熱エネルギーを有する気体や液体流体を送り込むことへ応用し、かつ管体の熱エネルギーの伝導を経て、配管内の気体や液体流体に対して、熱を伝導する。
【０１３５】
図３２は本形態の熱伝導構造３０００二個の第二配管により、二個の第二配管及び一個の第一配管を連接する説明図を示す。図３３に図３２の断面図を示す。
【０１３６】
本形態は、更に給水の水流または熱エネルギーを有する液体や気体流体が通過する配管の外部に熱伝導性を持つことを利用して、内部に螺旋状流体流路を持つ管状被覆構造が設置され、螺旋状隔離構造と管状被覆構造と配管とにより、螺旋管と配管との間で流体熱エネルギー伝送装置を形成する。その中の管状被覆構造は少なくとも二個の熱伝導性流体出入口を有し、熱伝導性流体、気体、又は液体を通過させることにより、給水の水流からの熱エネルギーを螺旋状流体流路の中の熱伝導性流体へ伝送する。更に各種の蓄温機能を熱エネルギーの気体や液体の流体への応用が可能であり、螺旋状隔離構造と管状被覆構造と配管形成螺旋管と配管との間を流体の熱エネルギー伝送装置中の配管とし、螺旋管を流れる気体や液体の流体に対して、熱エネルギーを伝送する。
【０１３７】
図３４は本形態の螺旋状隔離構造と管状被覆構造と配管とにより、螺旋管と配管との間で流体の熱エネルギー伝送装置を形成する立体構造説明図を示す。図３５は図３４の断面図を示す。
【０１３８】
図３４及び図３５は本形態の螺旋状隔離構造と管状被覆構造と配管とにより、螺旋管と配管との間で流体の熱エネルギー伝送装置を形成する構造を示す。
【０１３９】
配管６００は直線、曲線、円状、螺旋状、または、選定する幾何形状の管状構造を呈し、その上に少なくとも一個の流体入口６０１及び少なくとも一個の流体出口６０１’が設けられ、給水の水流または熱エネルギーを有する液流や気流を通過させ、配管６００の外部に螺旋状隔離構造６０６が設けられ、螺旋状隔離構造６０６の外部に被覆構造６０２が設けられ、螺旋状隔離構造６０６と配管６００と管状被覆構造６０２とにより、螺旋管状空間６０５を形成し、螺旋管状の流体流路は熱伝導性流体を通過させる。管状被覆構造６０２に熱伝導性流体を通過させるために、少なくとも二個の熱伝導性流体出入口６０３、６０４が設けられる以外に、その二端は密閉の管状構造を呈し、かつ螺旋状隔離構造６０６と共同して配管外部に取り囲まれ、かつ配管外部の熱伝導作用を経て、螺旋管状空間６０５内部の熱伝導性流体に対して熱エネルギーを伝送する。被覆される配管６００の数量はニーズによって選定することができる。
【０１４０】
管状被覆構造６０２は、配管６００の外部を被覆し、熱伝導性材料または非熱伝導性材料により作成することができる。管状被覆構造６０２と配管６００との間に螺旋状隔離構造６０６を設置し、かつ内部に螺旋管状空間６０５を形成させ、螺旋管状の流体流路は熱伝導性流体を通過させ、管状被覆構造に熱伝導性流体を通過させるために、少なくとも二個の熱伝導性流体出入口６０３、６０４が設けられ、熱伝導性流体を送り込んだりまたは送り出したりする。管状被覆構造６０２の数量はニーズによって選定することができる。
【０１４１】
熱伝導性流体出入口６０３、６０４は外部に対して熱伝導性流体を送り出したりまたは送り込んだりすることにより、螺旋管状空間６０５の内部熱伝導性流体が、配管６００内部からの給水の水流、または熱エネルギーを有する液体や気体流体の熱エネルギーを受け、外部の目的物または目的空間まで伝送する。本形態の熱伝導性流体出入口６０３、６０４の数量はニーズによって選定することができる。
【０１４２】
管状被覆構造６０２の内部螺旋管状空間６０５は螺旋状の隔離構造６０６と配管６００の外部と被覆管６０２との三者の間に螺旋状空間を形成することにより、熱伝導性流体を通過させる、
【０１４３】
本形態の水道水を利用して均一な温度を保つ均温システムは、螺旋状隔離構造と管状被覆構造と配管とにより、螺旋管と配管との間で流体の熱エネルギー伝送装置を形成することを採用し、熱エネルギーの気体や液体の流体への応用が可能である。螺旋状隔離構造と管状被覆構造と配管とを流れることにより、螺旋管と配管との間で流体の熱エネルギー伝送装置の中の配管が形成され、螺旋管を流れる気体や液体の流体に対して、熱エネルギーを伝送する。実際に応用するとき、配管は一個または一個以上で、かつ螺旋状隔離構造と管状被覆構造と配管とにより形成される螺旋管状空間の被覆式配管を形成する流体間の熱エネルギー伝送装置も一個または一個以上であることが可能である。
【０１４４】
本形態の螺旋状隔離構造と管状被覆構造と配管とにより、螺旋管と配管との間に形成する流体の熱エネルギー伝送装置は、
（１）熱エネルギーを有する気体や液相の流体が通過する配管へ応用し、かつ管体が伝導する熱エネルギーを通して、均一な温度にされる目的空間または目的物へ通じる気体や液相流体に対して、熱を伝送する、
（２）逆方向に外部から熱エネルギーを有する気体や液相流体を送り込むことに応用し、かつ管体の熱エネルギーの伝導で、配管内の気体や液相流体に対して、熱を伝導する。
【０１４５】
上述の図２２〜２７で述べる被覆式配管の流体間の熱エネルギー伝送装置と図２８〜３３で述べる伝導式配管の流体間の熱エネルギー伝送装置と図３４〜３５で述べる螺旋状隔離構造と管状被覆構造と配管形成螺旋管と配管との間に形成する流体の熱エネルギー伝送装置は、本発明の水道水を利用して均一な温度を保つ均温システムへ応用する以外に、各種貯温体の熱エネルギーが目的または目的空間に対して、流体により温度を調節する熱エネルギーの伝送への応用も可能である。
【符号の説明】
【０１４６】
１０１：地表、１０２：地層、１０３：地下水道管、１０４：給水分岐管、１１０：建物、１１１：水バルブ、１２１：密閉水管、１２２：均温装置、１２３：流体ポンピング装置、１２４：ろ過装置、２１８：流体入口、２１９：流体出口、２２０：被覆状の均温室構造、２２１：流体配管、２２２：補助均温配管、２２３：熱伝導のバネ状構造、２３１：流体配管、２４０：内部に螺旋状隔離構造を持つ被覆状の均温室構造、２５０：制御装置、２５１：計量装置、２５２：流量制御バルブ、３００：配管、３０１：流体入口、３０１’：流体出口、３０２：中空被覆体、３０３：熱伝導性流体出入口、３０４：熱伝導性流体出入口、３０５：中空被覆体の内部空間、３０６：熱伝導バネ、４００：第一配管、４０１：流体入口、４０１’：流体出口、４０３：熱伝導性流体出入口、４０４：熱伝導性流体出入口、４０６：内部熱伝導バネ、５００：第二配管、３０００：熱伝導構造、６００：配管、６０１：流体入口、６０１’：流体出口、６０２：管状被覆構造、６０３：流体出入口、６０４：流体出入口、６０５：螺旋管状空間、６０６：螺旋状隔離構造。
【図１】
2010043849.tif 000003
【図２】
2010043849.tif 000004
【図３】
2010043849.tif 000005
【図４】
2010043849.tif 000006
【図５】
2010043849.tif 000007
【図６】
2010043849.tif 000008
【図７】
2010043849.tif 000009
【図８】
2010043849.tif 000010
【図９】
2010043849.tif 000011
【図１０】
2010043849.tif 000012
【図１１】
2010043849.tif 000013
【図１２】
2010043849.tif 000014
【図１３】
2010043849.tif 000015
【図１４】
2010043849.tif 000016
【図１５】
2010043849.tif 000017
【図１６】
2010043849.tif 000018
【図１７】
2010043849.tif 000019
【図１８】
2010043849.tif 000020
【図１９】
2010043849.tif 000021
【図２０】
2010043849.tif 000022
【図２１】
2010043849.tif 000023
【図２２】
2010043849.tif 000024
【図２３】
2010043849.tif 000025
【図２４】
2010043849.tif 000026
【図２５】
2010043849.tif 000027
【図２６】
2010043849.tif 000028
【図２７】
2010043849.tif 000029
【図２８】
2010043849.tif 000030
【図２９】
2010043849.tif 000031
【図３０】
2010043849.tif 000032
【図３１】
2010043849.tif 000033
【図３２】
2010043849.tif 000034
【図３３】
2010043849.tif 000035
【図３４】
2010043849.tif 000036
【図３５】
2010043849.tif 000037
【外国語明細書】
2010043849.tif 000038
2010043849.tif 000039
2010043849.tif 000040
2010043849.tif 000041
2010043849.tif 000042
2010043849.tif 000043
2010043849.tif 000044
2010043849.tif 000045
2010043849.tif 000046
2010043849.tif 000047
2010043849.tif 000048
2010043849.tif 000049
2010043849.tif 000050
2010043849.tif 000051
2010043849.tif 000052
2010043849.tif 000053
2010043849.tif 000054
2010043849.tif 000055
2010043849.tif 000056
2010043849.tif 000057
2010043849.tif 000058
2010043849.tif 000059
2010043849.tif 000060
2010043849.tif 000061
2010043849.tif 000062
2010043849.tif 000063
2010043849.tif 000064
2010043849.tif 000065
2010043849.tif 000066
2010043849.tif 000067
2010043849.tif 000068
2010043849.tif 000069
2010043849.tif 000070
2010043849.tif 000071
2010043849.tif 000072
2010043849.tif 000073
2010043849.tif 000074
2010043849.tif 000075
2010043849.tif 000076
2010043849.tif 000077
2010043849.tif 000078
2010043849.tif 000079
2010043849.tif 000080
2010043849.tif 000081
2010043849.tif 000082
2010043849.tif 000083
2010043849.tif 000084
2010043849.tif 000085
2010043849.tif 000086
2010043849.tif 000087
2010043849.tif 000088
2010043849.tif 000089
2010043849.tif 000090
2010043849.tif 000091
2010043849.tif 000092
2010043849.tif 000093
2010043849.tif 000094
2010043849.tif 000095
2010043849.tif 000096
2010043849.tif 000097
2010043849.tif 000098
2010043849.tif 000099
2010043849.tif 000100
2010043849.tif 000101
2010043849.tif 000102
2010043849.tif 000103
2010043849.tif 000104
2010043849.tif 000105
2010043849.tif 000106
2010043849.tif 000107
2010043849.tif 000108
2010043849.tif 000109
2010043849.tif 000110
2010043849.tif 000111
2010043849.tif 000112
2010043849.tif 000113
2010043849.tif 000114
2010043849.tif 000115
2010043849.tif 000116
2010043849.tif 000117
2010043849.tif 000118
2010043849.tif 000119
2010043849.tif 000120
2010043849.tif 000121
2010043849.tif 000122
2010043849.tif 000123
2010043849.tif 000124
2010043849.tif 000125
2010043849.tif 000126
2010043849.tif 000127
2010043849.tif 000128
2010043849.tif 000129
2010043849.tif 000130
2010043849.tif 000131
2010043849.tif 000132
2010043849.tif 000133
2010043849.tif 000134
2010043849.tif 000135
2010043849.tif 000136
2010043849.tif 000137
2010043849.tif 000138
2010043849.tif 000139
2010043849.tif 000140
2010043849.tif 000141
2010043849.tif 000142
2010043849.tif 000143
2010043849.tif 000144
2010043849.tif 000145
2010043849.tif 000146
2010043849.tif 000147
2010043849.tif 000148